(57)【特許請求の範囲】
【請求項１】
物理下りリンク制御チャネルによって伝送され、ＨＡＲＱ（ハイブリッド自動再送要求）プロセス番号を含む下りリンク制御情報を受信する受信部と、
ＨＡＲＱ応答を送信する送信部と、を備え、
すべてのサービングセルがＴＤＤ（時分割複信）を用いる場合には、前記ＨＡＲＱプロセス番号のフィールドは４ビットであり、ＨＡＲＱプロセスの最大数は第１の上りリンク／下りリンク設定によって決定され、
プライマリセルがＦＤＤ（周波数分割複信）を用い、前記プライマリセル以外の１つのサービングセルがＴＤＤを用いる場合には、前記プライマリセルおよび前記プライマリセル以外の１つのサービングセルにおいても、前記ＨＡＲＱプロセス番号のフィールドは３ビットであり、前記ＨＡＲＱプロセスの最大数は８であり、
すべてのサービングセルがＦＤＤ（周波数分割複信）を用いる場合には、前記ＨＡＲＱプロセス番号のフィールドは３ビットであり、ＨＡＲＱプロセスの最大数は８であり、
プライマリセルがＴＤＤ（時分割複信）を用い、前記プライマリセル以外の１つのサービングセルがＦＤＤを用いる場合には、前記プライマリセルおよび前記プライマリセル以外の１つのサービングセルにおいても、前記ＨＡＲＱプロセス番号のフィールドは４ビットであり、ＨＡＲＱプロセスの最大数は、第２の上りリンク／下りリンク設定によって決定され、
前記第１の上りリンク／下りリンク設定と、前記第２の上りリンク／下りリンク設定とは、異なる、
端末装置。
【請求項２】
物理下りリンク制御チャネルによって伝送され、ＨＡＲＱ（ハイブリッド自動再送要求）プロセス番号を含む下りリンク制御情報を送信する送信部と、
ＨＡＲＱ応答を送信する受信部と、を備え、
すべてのサービングセルがＴＤＤ（時分割複信）を用いる場合には、前記ＨＡＲＱプロセス番号のフィールドは４ビットであり、ＨＡＲＱプロセスの最大数は第１の上りリンク／下りリンク設定によって決定され、
前記複数のサービングセルのうちプライマリセルがＦＤＤ（周波数分割複信）を用い、前記プライマリセル以外のサービングセルがＴＤＤを用いる場合には、前記プライマリセルおよび前記プライマリセル以外の１つのサービングセルにおいても、前記ＨＡＲＱプロセス番号のフィールドは３ビットであり、前記ＨＡＲＱプロセス番号の最大数は８であり、
すべてのサービングセルがＦＤＤ（周波数分割複信）を用いる場合には、前記ＨＡＲＱプロセス番号のフィールドは３ビットであり、ＨＡＲＱプロセスの最大数は８であり、
プライマリセルがＴＤＤ（時分割複信）を用い、前記プライマリセル以外の１つのサービングセルがＦＤＤを用いる場合には、前記プライマリセルおよび前記プライマリセル以外の１つのサービングセルにおいても、前記ＨＡＲＱプロセス番号のフィールドは４ビットであり、ＨＡＲＱプロセスの最大数は、第２の上りリンク／下りリンク設定によって決定され、
前記第１の上りリンク／下りリンク設定と、前記第２の上りリンク／下りリンク設定とは、異なる、
基地局装置。
【発明の詳細な説明】
【技術分野】
【０００１】
本文書は、ワイヤレス通信システムに適用可能な方法およびプロセスをＬＴＥにおけるＨＡＲＱプロセス活用に焦点を合わせて記載する。参照によりその内容が本明細書に組み込まれる、米国特許仮出願第６１／９１５，１３７号、２０１３年１２月１２日出願に関して優先権が主張される。
【背景技術】
【０００２】
第３世代パートナーシップ・プロジェクト（３ＧＰＰ：Ｔｈｉｒｄ  Ｇｅｎｅｒａｔｉｏｎ  Ｐａｒｔｎｅｒｓｈｉｐ  Ｐｒｏｊｅｃｔ）は、セルラー移動体通信のための無線アクセス方式および無線ネットワークの進化（以下、「ロング・ターム・エボリューション（ＬＴＥ：Ｌｏｎｇ  Ｔｅｒｍ  Ｅｖｏｌｕｔｉｏｎ）」または「イボルブド・ユニバーサル地上無線アクセス（ＥＵＴＲＡ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）」と呼ばれる）を絶えず研究している。ＬＴＥでは、マルチキャリア送信方式である直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式が基地局デバイス（以下、「基地局装置」、「基地局」、「ｅＮＢ」、「アクセスポイント」とも呼ばれる）から移動局デバイス（以下、「移動局」、「端末局」、「端末局装置」、「端末装置」、「ＵＥ」、「ユーザ」とも呼ばれる）へのワイヤレス通信のための通信方式として用いられる。基地局デバイスは、１つ以上の構成された在圏セル（以下、「セル」とも呼ばれる）を有し、移動局デバイスとの通信は、それらのセルを通じて行われる。さらに、シングルキャリア送信方式であるシングルキャリア周波数分割多元接続（ＳＣ−ＦＤＭＡ：Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式が、移動局デバイスから基地局デバイスへの（上りリンク）ワイヤレス通信のための通信方式として用いられる。
【０００３】
３ＧＰＰでは、ＬＴＥより広い周波数バンドを用いてさらに高速のデータ通信を実現する無線アクセス方式および無線ネットワーク（以下、ロング・ターム・エボリューション−アドバンスト（ＬＴＥ−Ａ：Ｌｏｎｇ  Ｔｅｒｍ  Ｅｖｏｌｕｔｉｏｎ−Ａｄｖａｎｃｅｄ）またはアドバンスト・イボルブド・ユニバーサル無線アクセス（Ａ−ＥＵＴＲＡ：Ａｄｖａｎｃｅｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）と呼ばれる）が、ＬＴＥとの後方互換性を有することを可能にするための研究が行われている。すなわち、ＬＴＥ−Ａの基地局デバイスは、ＬＴＥ−ＡおよびＬＴＥの両方の移動局デバイスと同時にワイヤレス通信を行うことが可能であり、ＬＴＥ−Ａの移動局デバイスは、ＬＴＥ−ＡおよびＬＴＥの両方の基地局デバイスとワイヤレス通信を行うことが可能である。ＬＴＥ−Ａのチャネル構造は、ＬＴＥのものと同じであり、非特許文献（ＮＰＬ：Ｎｏｎ  Ｐａｔｅｎｔ  Ｌｉｔｅｒａｔｕｒｅ）１および２に記載される。
【０００４】
ＬＴＥでは、基地局デバイスは、物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）または拡張型ＰＤＣＣＨ（ｅＰＤＣＣＨまたはＥＰＤＣＣＨ：ｅｎｈａｎｃｅｄ  ＰＤＣＣＨ）を通じて制御情報を送信する。移動局は、移動局に向けられたメッセージを探してＰＤＣＣＨ領域、より具体的には「サーチスペース」と称されるその領域の部分空間をモニタする。個々の移動局デバイスへ具体的にアドレス指定されたメッセージをモニタするためのサーチスペースは、ユーザ・サーチスペース（ＵＳＳ：Ｕｓｅｒ  Ｓｅａｒｃｈ  Ｓｐａｃｅ）と称される。特定の移動局デバイスまたはそれらの群へアドレス指定されたメッセージを探すべくモニタするためのサーチスペースは、共通サーチスペース（ＣＳＳ：Ｃｏｍｍｏｎ  Ｓｅａｒｃｈ  Ｓｐａｃｅ）と称される。ｅＰＤＣＣＨのケースでは、移動局デバイスは、個々の移動局デバイスへ具体的にアドレス指定されたメッセージを探してｅＰＤＣＣＨ領域の部分空間（ｅＰＤＣＣＨ  ＵＳＳ）をモニタする。基地局デバイスは、ＮＰＬ３に記載されるように、無線リソース制御（ＲＲＣ：Ｒａｄｉｏ  Ｒｅｓｏｕｒｃｅ  Ｃｏｎｔｒｏｌ）メッセージの使用を通じて移動局デバイスを構成できる。
【０００５】
ＬＴＥは、メッセージの再送信を管理するためにＨＡＲＱ（Ｈｙｂｒｉｄ  Ａｕｔｏｍａｔｉｃ  Ｒｅｐｅａｔ  Ｒｅｑｕｅｓｔ：ハイブリッド自動再送要求）を用いる。基地局デバイスは、送信されたメッセージごとにＨＡＲＱプロセス番号（ＨＡＲＱ  ＰＮ：ＨＡＲＱ  ｐｒｏｃｅｓｓ  ｎｕｍｂｅｒ）を保持し、ＨＡＲＱプロセス番号は、移動局デバイスからＡＣＫ（肯定応答：Ａｃｋｎｏｗｌｅｄｇｅｍｅｎｔ）メッセージを首尾よく受信して初めて解除される。その削除またはＮＡＣＫ（否定応答：Ｎｅｇａｔｉｖｅ  Ａｃｋｎｏｗｌｅｄｇｅｍｅｎｔ）メッセージの受信がメッセージの再送信をトリガする。ＬＴＥにおける再送信は、代わりの非システマティックビットの形態である。移動局デバイスは、ＨＡＲＱ  ＰＮを通じて移動局デバイスが補完するメッセージを識別する。同様の手順が移動局デバイスから基地局デバイスへのメッセージの上りリンク送信のために利用される。
【０００６】
ＬＴＥは、移動局デバイスが達成できるピーク・データレートを増加させるために２つ以上の在圏セルをアグリゲートすることが可能である。現在、２つの在圏セルを一緒にアグリゲートするためには同じフレーム構造、すなわち、ＴＤＤ−ＴＤＤ  ＣＡ（キャリアアグリゲーション：Ｃａｒｒｉｅｒ  Ａｇｇｒｅｇａｔｉｏｎ）またはＦＤＤ−ＦＤＤ  ＣＡを有することが必要とされる。本文書の残りの部分ではそれぞれＴＤＤ−ＴＤＤ  ＣＡおよびＦＤＤ−ＦＤＤ  ＣＡを指すために用語ＴＤＤ−ＴＤＤおよびＦＤＤ−ＦＤＤが用いられることに留意すべきである。
【先行技術文献】
【非特許文献】
【０００７】
【非特許文献１】第３世代パートナーシップ・プロジェクト；技術仕様グループ無線アクセス・ネットワーク；イボルブド・ユニバーサル地上無線アクセス（Ｅ−ＵＴＲＡ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）；物理チャネルおよび変調（リリース１１）、３ＧＰＰ  ＴＳ３６．２１１  Ｖ１１．４．０．（２０１３−０９）ＵＲＬ：ｈｔｔｐ：／／ｗｗｗ．３ｇｐｐ．ｏｒｇ／ｆｔｐ／Ｓｐｅｃｓ／ｈｔｍｌ−ｉｎｆｏ／３６２１１．ｈｔｍ
【非特許文献２】第３世代パートナーシップ・プロジェクト；技術仕様グループ無線アクセス・ネットワーク；イボルブド・ユニバーサル地上無線アクセス（Ｅ−ＵＴＲＡ）；物理レイヤ手順（リリース１１）、３ＧＰＰ  ＴＳ３６．２１３  Ｖ１１．４．０．（２０１３−０９）ＵＲＬ：ｈｔｔｐ：／／ｗｗｗ．３ｇｐｐ．ｏｒｇ／ｆｔｐ／Ｓｐｅｃｓ／ｈｔｍｌ−ｉｎｆｏ／３６２１３．ｈｔｍ
【非特許文献３】第３世代パートナーシップ・プロジェクト；技術仕様グループ無線アクセス・ネットワーク；イボルブド・ユニバーサル地上無線アクセス（Ｅ−ＵＴＲＡ）；無線リソース制御（ＲＲＣ）（リリース１１）、３ＧＰＰ  ＴＳ３６．３３１  Ｖ１１．５．０．（２０１３−０９）ＵＲＬ：ｈｔｔｐ：／／ｗｗｗ．３ｇｐｐ．ｏｒｇ／ｆｔｐ／Ｓｐｅｃｓ／ｈｔｍｌ−ｉｎｆｏ／３６３３１．ｈｔｍ
【発明の概要】
【発明が解決しようとする課題】
【０００８】
関連技術では、在圏セルが限定された数の同時ＨＡＲＱプロセスをアドレス指定することが可能である。この限定は、いつでもありうる同時ＨＡＲＱプロセスの最大数と一致するように行われ、ＦＤＤ在圏セルとＴＤＤ在圏セルでは限定が異なる。ＦＤＤ在圏セルは、周波数多重された上りリンクおよび下りリンク・バンドを有することに起因して、時間的に多重された上りリンクおよび下りリンクサブフレームを提供するＴＤＤ在圏セルと比較して、ＨＡＲＱプロセスをより予測可能かつ迅速に扱うことができる。これは、ＦＤＤ在圏セルが同時に取り扱う必要があるＨＡＲＱプロセスがＴＤＤ在圏セルより少ないことにつながる。
【０００９】
しかしながら、いくつかのケースでは、発生しうる同時ＨＡＲＱプロセスの最大数が現在想定されている能力を超える。
【００１０】
本発明は、上記の点を考慮してなされ、その目的は、セルアグリゲーションのシナリオで同時に発生する可能性があるＨＡＲＱプロセスを在圏セルが適切にアドレス指定することを可能にする、拡大されたＨＡＲＱプロセス能力をもつ移動局デバイスおよび基地局デバイスを提供することである。
【課題を解決するための手段】
【００１１】
（発明の効果）
本発明によれば、在圏セルは、セルアグリゲーションのシナリオで同時に発生しうるＨＡＲＱプロセスを適切にアドレス指定することが可能である。
【図面の簡単な説明】
【００１２】
【図１】本発明によるワイヤレス通信システムの概念図である。
【図２】本発明による下りリンクＯＦＤＭ構造の構成例を示す図である。
【図３】本発明によるその定義された参照信号のうちのいくつかをもつレガシー物理リソースブロックの例を示す図である。
【図４】本発明による上りリンクＯＦＤＭ構造の構成例を示す図である。
【図５】本発明による物理上りリンク・リソースのＰＵＣＣＨおよびＰＵＳＣＨへのアロケーションを示す図である。
【図６】本発明によるＴＤＤワイヤレス通信システムにおける無線フレームの構成の例を示す図である。
【図７】本発明によるＴＤＤワイヤレス通信システムにおける可能な上り下りリンク設定を示す表である。
【図８】ＴＤＤワイヤレス通信システムにおけるＨＡＲＱ  ＡＣＫ／ＮＡＣＫ送信のための下りリンク・アソシエーションセットの例を示す表である。
【図９】基地局デバイスがＴＤＤワイヤレス通信システムにおけるＴＤＤ  ＵＬ／ＤＬ設定ごとに取り扱いうると予想される同時ＨＡＲＱプロセスの数を示す表である。
【図１０】本発明によるフレキシブルサブフレームの指示の例を示す図である。
【図１１】本発明による移動局デバイス構成の例を示す図である。
【図１２】本発明による基地局デバイス構成の例を示す図である。
【図１３】本発明によるワイヤレス通信システムにおけるＰＤＣＣＨのためのＵＥ固有および共通サーチスペース設定の例を示す表である。
【図１４】本発明による物理ＥＰＤＣＣＨ−ＰＲＢセットのその論理ＥＣＣＥへのマッピングの例を示す図である。
【図１５】本発明によるワイヤレス通信システムにおけるｅＰＤＣＣＨのためのＵＥ固有サーチスペース設定の例を示す表である。
【図１６】本発明によるセルアグリゲーション処理の例を示す図である。
【図１７】本発明によるＴＤＤ−ＦＤＤアグリゲートされたワイヤレス通信システムの例を示す図である。
【図１８】本発明によるＦＤＤ  ＰＣｅｌｌをもつＴＤＤ−ＦＤＤワイヤレス通信システムにおいてＴＤＤ基地局デバイスがＴＤＤ  ＵＬ／ＤＬ設定ごとに取り扱いうると予想される同時ＨＡＲＱプロセスの数を示す表である。
【図１９】本発明によるＴＤＤ  ＰＣｅｌｌをもつＴＤＤ−ＦＤＤワイヤレス通信システムにおけるＨＡＲＱ  ＡＣＫ／ＮＡＣＫ送信のための下りリンク・アソシエーションセットの例を示す表である。
【図２０】本発明によるＴＤＤ  ＰＣｅｌｌをもつＴＤＤ−ＦＤＤワイヤレス通信システムにおいてＦＤＤ基地局デバイスがＴＤＤ  ＵＬ／ＤＬ設定ごとに取り扱いうると予想される同時ＨＡＲＱプロセスの数を示す表である。
【図２１】本発明による移動局デバイスがＰＤＣＣＨ／ＥＰＤＣＣＨモニタリングをサーチスペースに適用するためのＤＣＩの想定を引き出すプロセスを記述するフローチャートである。
【発明を実施するための形態】
【００１３】
以下では、本発明の実施形態が図面を参照して詳細に記載される。最初に、本発明による物理チャネルが記載される。
【００１４】
図１は、例示的な通信システムを示す。基地局デバイス１は、物理下りリンク制御チャネル（ＰＤＣＣＨ）または拡張型ＰＤＣＣＨ（ｅＰＤＣＣＨ）３を通じて移動局デバイス２へ制御情報を送信する。この制御情報は、データ４の下りリンク送信およびデータ６の上りリンク送信を支配する。
【００１５】
移動局デバイス２は、メッセージデータ４に対するＨＡＲＱ（ハイブリッド自動再送要求）情報を適切なタイミングで物理上りリンク制御チャネルを通じて基地局デバイス１へ送信する。ＨＡＲＱ機能は、レイヤ１でのピアエンティティ間の配信を確実にする。ＭＡＣサブレイヤ内のＨＡＲＱは、次の特性：ＮプロセスＳｔｏｐ−Ａｎｄ−Ｗａｉｔを有し、ＨＡＲＱは、トランスポートブロックを送信および再送信する。加えて、下りリンクでは、非同期適応ＨＡＲＱ；下りリンク（再）送信に応答する上りリンクＡＣＫ／ＮＡＫがＰＵＣＣＨまたはＰＵＳＣＨ上で送信され；それが送信または再送信である場合、ＰＤＣＣＨがＨＡＲＱプロセス番号をシグナリングし；再送信は、常に、ＰＤＣＣＨを通じて下りリンクでスケジュールされる。代わりに、上りリンクでは、同期ＨＡＲＱ；（無線ベアラごとではなく）ＵＥごとに設定された再送信の最大数；上りリンク（再）送信に応答する下りリンクＡＣＫ／ＮＡＫがＰＨＩＣＨ上で送信され；測定ギャップは、ＨＡＲＱ再送信より優先度が高い（ＨＡＲＱ再送信が測定ギャップと衝突するときはいつでも、ＨＡＲＱ再送信は生じない）。加えて、上りリンクでのＨＡＲＱ動作は、（表９．１−１に要約された）次の原理によって支配される、すなわち、（１）ＨＡＲＱフィードバックのコンテンツ（ＡＣＫまたはＮＡＣＫ）に係わらず、ＵＥのためのＰＤＣＣＨを正しく受信したとき、ＵＥは、ＰＤＣＣＨがＵＥに行うように求めることに従い、すなわち、送信または（適応再送と呼ばれる）再送信を行う；（２）ＵＥのＣ−ＲＮＴＩへアドレス指定されたＰＤＣＣＨが何も検出されないときには、ＵＥがどのように再送信を行うかをＨＡＲＱフィードバックが決定づける、すなわち、ＮＡＣＫ（ＵＥは、非適応再送、すなわち、同じプロセスによって前に用いられた同じ上りリンク・リソース上で再送信を行う）、またはＡＣＫ（ＵＥは、いずれのＵＬ（再）送信も行わず、データをＨＡＲＱバッファ中に保持する。ＰＤＣＣＨは、その後、再送信を行うことが要求され、すなわち、非適応再送が次に続くことはできない）。
【００１６】
基地局デバイス１は、移動局デバイス２へ送信される各新しいデータ４メッセージにＨＡＲＱプロセス番号（ＨＡＲＱ  ＰＮ）を割り当てる。移動局デバイス２からのＨＡＲＱ−ＡＣＫメッセージの受信は、基地局デバイス１が対応するメッセージに用いられたＨＡＲＱ  ＰＮを解除して、それを新しいメッセージのために再使用することを可能にする。再送信のケースでは、基地局デバイス１は、メッセージに関連付けられたＨＡＲＱ  ＰＮを保持して、再送信されるデータがどのメッセージに対応するかを移動局デバイス２に示すための手段としてそのＨＡＲＱ  ＰＮを用いる。
【００１７】
同様に、基地局デバイス１は、メッセージデータ６に関するＨＡＲＱ情報を適切なタイミングでＰＤＣＣＨまたはＥＰＤＣＣＨを通じて、より詳しくはＰＨＩＣＨ（物理ＨＡＲＱインジケータ・チャネル：Ｐｈｙｓｉｃａｌ  ＨＡＲＱ  Ｉｎｄｉｃａｔｏｒ  Ｃｈａｎｎｅｌ）を通じて移動局デバイス２へ送信する。
【００１８】
ＰＤＣＣＨで、およびｅＰＤＣＣＨで送信される情報メッセージは、多くのＲＮＴＩ（無線ネットワーク一時識別子：Ｒａｄｉｏ  Ｎｅｔｗｏｒｋ  Ｔｅｍｐｏｒａｒｙ  Ｉｄｅｎｔｉｆｉｅｒ）のいずれかを用いてスクランブルされる。用いられるスクランブルコードは、メッセージの機能を区別するために役立ち、例えば、ページング（Ｐ−ＲＮＴＩ）、ランダムアクセス（ＲＡＲＮＴＩ）、スケジューリングのようなセル関連動作（Ｃ−ＲＮＴＩ）、セミパーシステントスケジューリング（ＳＰＳ−ＲＮＴＩ）、システム情報（ＳＩ−ＲＮＴＩ）などのためのＲＮＴＩがある。
【００１９】
基地局デバイス１および移動局デバイス２は、選択された送信モード（ＴＭ：ｔｒａｎｓｍｉｓｓｉｏｎ  ｍｏｄｅ）に対応する一連の予め定義されたパラメータおよび想定に従って互いに通信する。種々のシナリオおよびユースケースに及ぶ複数の選択肢を提供するために送信モード１から１０が定義された。例えば、ＴＭ１は単一アンテナ送信、ＴＭ２は送信ダイバーシティ、ＴＭ３は開ループ空間多重、ＴＭ４は閉ループ空間多重、ＴＭ５はマルチユーザＭＩＭＯ（多入力・多出力）、ＴＭ６はシングルレイヤ・コードブックベース・プリコーディング、ＴＭ７はＤＭ−ＲＳを用いたシングルレイヤ送信、ＴＭ８はＤＭ−ＲＳを用いたデュアルレイヤ送信、ＴＭ９はＤＭ−ＲＳを用いたマルチレイヤ送信、ＴＭ１０はＤＭ−ＲＳを用いた８レイヤ送信に対応する。
【００２０】
所定の在圏セルに対して、移動局デバイスが送信モード１〜９に従ってＰＤＳＣＨデータ送信を受信するように構成される場合、移動局デバイスが上位レイヤ・パラメータｅｐｄｃｃｈ−ＳｔａｒｔＳｙｍｂｏｌｒ１１を用いて構成されるならば、ＥＰＤＣＣＨのための開始ＯＦＤＭシンボルｌＥＰＤＣＣＨｓｔａｒｔは、このパラメータによって確定される。そうでない場合には、ＥＰＤＣＣＨのための開始ＯＦＤＭシンボルｌＥＰＤＣＣＨｓｔａｒｔは、バンド幅内に１０を超えるリソースブロックがあるとき、ＰＤＣＣＨ領域に存在するＰＣＦＩＣＨ（物理制御フォーマット・インジケータ・チャネル：Ｐｈｙｓｉｃａｌ  Ｃｏｎｔｒｏｌ  Ｆｏｒｍａｔ  Ｉｎｄｉｃａｔｏｒ  Ｃｈａｎｎ）中に存在するＣＦＩ（制御フォーマット・インジケータ：Ｃｏｎｔｒｏｌ  Ｆｏｒｍａｔ  Ｉｎｄｉｃａｔｏｒ）によって与えられ、ｌＥＰＤＣＣＨｓｔａｒｔは、バンド幅内に１０以下のリソースブロックがあるときには、所定の在圏セルのサブフレームにおけるＣＦＩ値＋１によって与えられる。
【００２１】
所定の在圏セルに対して、ＵＥが送信モード１０に従ってＰＤＳＣＨデータ送信を受信するように上位レイヤ・シグナリングによって構成される場合、ＥＰＤＣＣＨ−ＰＲＢセットごとに、サブフレームｋでＥＰＤＣＣＨをモニタするための開始ＯＦＤＭシンボルは、上位レイヤ・パラメータｐｄｓｃｈ−Ｓｔａｒｔｒ１１から次のように確定される、すなわち、
−パラメータｐｄｓｃｈ−Ｓｔａｒｔ−ｒ１１の値が１、２、３または４である場合、ｌ’ＥＰＤＣＣＨｓｔａｒｔは、そのパラメータによって与えられる。
−そうでない場合には、ｌ’ＥＰＤＣＣＨｓｔａｒｔは、バンド幅内に１０を超えるリソースブロックがあるとき、所定の在圏セルのサブフレームｋにおけるＣＦＩ値によって与えられ、ｌ’ＥＰＤＣＣＨｓｔａｒｔは、バンド幅内に１０以下のリソースブロックがあるときには、所定の在圏セルのサブフレームｋにおけるＣＦＩ値＋１によって与えられる。
−サブフレームｋが上位レイヤ・パラメータｍｂｓｆｎ−ＳｕｂｆｒａｍｅＣｏｎｆｉｇＬｉｓｔ−ｒ１１によって示されるか、またはサブフレームｋがＴＤＤ動作のためのサブフレーム１または６である場合、ｌＥＰＤＣＣＨｓｔａｒｔ＝ｍｉｎ（２，ｌ’ＥＰＤＣＣＨｓｔａｒｔ）
−そうでない場合には、ｌＥＰＤＣＣＨｓｔａｒｔ＝ｌ’ＥＰＤＣＣＨｓｔａｒｔ。
【００２２】
異なるＴＭは、異なるアンテナポートで送信される。１つのアンテナポート上のシンボルを伝えるチャネルの大規模特性を他のアンテナポート上のシンボルを伝えるチャネルから推定できる場合、２つのアンテナポートは、準コロケートされている（ｑｕａｓｉ  ｃｏ−ｌｏｃａｔｅｄ）と言われる。大規模特性は、遅延スプレッド、ドップラー・スプレッド、ドップラー偏移、平均利得、および平均遅延のうちの１つ以上を含む。移動局デバイスは、基地局デバイスによって別様に指定されない限り、２つのアンテナポートが準コロケートされていることを想定しない。
【００２３】
ある１つの在圏セルに対して送信モード１０に設定される移動局デバイスは、ＰＤＳＣＨまたはｅＰＤＣＣＨを復号するために、上位レイヤ・パラメータｑｃｌ−Ｏｐｅｒａｔｉｏｎによってその在圏セルのための２つの準コロケーション・タイプのうちの１つを用いて構成される。
−タイプＡ：移動局デバイスは、在圏セルのアンテナポート０〜３（ＣＲＳに対応する）、７〜２２（ＵＥ固有ＲＳおよびＣＳＩ−ＲＳ）および１０７〜１１０（ｅＰＤＣＣＨと関連付けられたＤＭ−ＲＳに対応する）が遅延スプレッド、ドップラー・スプレッド、ドップラー偏移、および平均遅延に関して準コロケートされていることを想定する。
−タイプＢ：移動局デバイスは、アンテナポート１５〜２２（上位レイヤ・パラメータｑｃｌ−ＣＳＩ−ＲＳ−ＣｏｎｆｉｇＮＺＰＩｄ−ｒ１１によって識別されるＣＳＩ−ＲＳリソース設定に対応する）、アンテナポート７〜１４（ＵＥ固有ＲＳ）、およびアンテナポート１０７〜１１０（ｅＰＤＣＣＨと関連付けられたＤＭ−ＲＳに対応する）が遅延スプレッド、ドップラー・スプレッド、ドップラー偏移、および平均遅延に関して準コロケートされていることを想定する。
【００２４】
所定の在圏セルに対して送信モード１０に設定される移動局は、ＰＤＳＣＨまたはｅＰＤＣＣＨを復号するために、基地局デバイスによって４つまでのパラメータセットを用いて構成できる。移動局デバイスは、移動局がタイプＢ準コロケーション・タイプを用いて構成される場合、ＰＤＳＣＨ／ｅＰＤＣＣＨ  ＲＥマッピングを確定するため、およびアンテナポート準コロケーションを確定するために「ＰＤＳＣＨ  ＲＥ  Ｍａｐｐｉｎｇ  ａｎｄ  Ｑｕａｓｉ−Ｃｏ−Ｌｏｃａｔｉｏｎ  Ｉｎｄｉｃａｔｏｒ（ＰＤＳＣＨ  ＲＥマッピングおよび準コロケーション・インジケータ）」フィールド（ＰＱＩ）の値によるパラメータセットを用いる。ＰＱＩは、４つの設定可能なパラメータセットのためのインデックスとしての機能を果たす。
【００２５】
ＰＱＩによって参照されるパラメータセットは、ｃｒｓ−ＰｏｒｔｓＣｏｕｎｔ−ｒ１１（アンテナポートの数）、ｃｒｓ−ＦｒｅｑＳｈｉｆｔ−ｒ１１（ＣＲＳの周波数シフト）、ｍｂｓｆｎ−ＳｕｂｆｒａｍｅＣｏｎｆｉｇＬｉｓｔ−ｒ１１（下りリンクでＭＢＳＦＮのために予約されたサブフレームの定義）、ｃｓｉ−ＲＳ−ＣｏｎｆｉｇＺＰＩｄ−ｒ１１（移動局デバイスがゼロ送信電力を想定する対象となるＣＳＩ−ＲＳリソース設定のアイデンティフィケーション）、ｐｄｓｃｈ−Ｓｔａｒｔ−ｒ１１（開始ＯＦＤＭシンボル）およびｑｃｌ−ＣＳＩ−ＲＳ−ＣｏｎｆｉｇＮＺＰＩｄ−ｒ１１（ＰＤＳＣＨ／ｅＰＤＣＣＨアンテナポートと準コロケートされたＣＳＩ−ＲＳリソース）を含む。
【００２６】
典型的なネットワークでは、複数の基地局デバイスのカバレッジがいくつかのエリアにおいて重なり合う。システムは、移動局デバイスが、基地局デバイスからの受信前にその基地局デバイスへハンドオーバを行う必要なしに、透過的にこれらの基地局デバイスのいずれかによってサービスされることを可能にすることもできる。在圏セル中の基地局デバイスは、重なり合う基地局デバイスの条件に適合する準コロケーション・パラメータセットをＲＲＣメッセージを通じて設定する。重なり合う基地局デバイスは、移動局デバイスが正しいＰＱＩパラメータセットへ切り替えた場合、サービスの中断なしに移動局デバイスへ送信できる。
【００２７】
図２は、下りリンクサブフレームの構成例を示す。下りリンク送信は、ＯＦＤＭＡを通じて行われる。下りリンクサブフレームは、１ｍｓの長さを有し、ＰＤＣＣＨ、ｅＰＤＣＣＨおよびＰＤＳＣＨに分割されると概括的に考えることができる。各サブフレームは、２つのスロットからなる。各スロットは、０．５ｍｓの長さを有する。スロットは、時間領域における複数のＯＦＤＭシンボルにさらに分割され、ＯＦＤＭシンボルのそれぞれ１つは、周波数領域における複数のサブキャリアからなる。ＬＴＥシステムでは、１つのＲＢが１２のサブキャリアと７つ（または６つ）のＯＦＤＭシンボルとを含む。各ＯＦＤＭシンボルの各サブキャリアがリソース要素（ＲＥ：Ｒｅｓｏｕｒｃｅ  Ｅｌｅｍｅｎｔ）である。スロット中に存在するすべてのＲＥのグルーピングがリソースブロック（ＲＢ：Ｒｅｓｏｕｒｃｅ  Ｂｌｏｃｋ）を構成する。サブフレーム中に存在する２つの物理的に連続したリソースブロックのグルーピングが物理リソースブロック対（ＰＲＢ対：Ｐｈｙｓｉｃａｌ  Ｒｅｓｏｕｒｃｅ  Ｂｌｏｃｋ  ｐａｉｒ）を構成する。ＰＲＢ対（２つのスロット）は、通常のＣＰ（サイクリックプレフィックス：ｃｙｃｌｉｃ  ｐｒｅｆｉｘ）のケースでは１２サブキャリア×１４ＯＦＤＭシンボル、および拡張されたＣＰのケースでは１２サブキャリア×１２ＯＦＤＭシンボルを備える。ＰＤＣＣＨ領域は、フレームの最初の１つから４つのＯＦＤＭシンボルのＲＥを占有する。
【００２８】
ＰＲＢ対のＰＤＣＣＨ領域は、最初の１、２、３または４つのＯＦＤＭシンボルにわたる。残りのＯＦＤＭシンボルは、データ領域（ＰＤＳＣＨ：Ｐｈｙｓｉｃａｌ  Ｄｏｗｎｌｉｎｋ  Ｓｈａｒｅｄ  Ｃｈａｎｎｅｌ、物理下りリンク共有チャネル）として用いられる。ＰＤＣＣＨは、ＣＲＳとともに、アンテナポート０〜３で送信される。
【００２９】
ＣＲＳは、ＰＤＣＣＨ領域およびデータ領域の長さに依存しないパターンに従ってＰＲＢにわたってＲＥに割り当てられる。ＰＲＢ中のＣＲＳの数は、送信用に設定されたアンテナの数に依存する。
【００３０】
物理制御フォーマット・インジケータ・チャネル（ＰＣＦＩＣＨ）は、最初のＯＦＤＭシンボル中でＣＲＳには割り当てられないＲＥに割り当てられる。ＰＣＦＩＣＨは、４つのリソース要素群（ＲＥＧ：Ｒｅｓｏｕｒｃｅ  Ｅｌｅｍｅｎｔ  Ｇｒｏｕｐ）からなり、各ＲＥＧは、４つのＲＥからなる。各ＲＥＧは、物理下りリンク制御チャネル（ＰＤＣＣＨ）の長さに対応する、１から３まで（またはバンド幅によっては２から４まで）の値を含む。
【００３１】
物理ハイブリッドＡＲＱインジケータ・チャネル（ＰＨＩＣＨ：Ｐｈｙｓｉｃａｌ  Ｈｙｂｒｉｄ−ＡＲＱ  Ｉｎｄｉｃａｔｏｒ  Ｃｈａｎｎｅｌ、ここでＡＲＱは、自動再送要求を表す）は、最初のシンボル中でＣＲＳまたはＰＣＦＩＣＨには割り当てられないＲＥに割り当てられる。ＰＨＩＣＨは、上りリンク送信に対するＨＡＲＱ  ＡＣＫ／ＮＡＣＫ信号を送信する。ＰＨＩＣＨは、１つのＲＥＧからなり、セル固有の仕方でスクランブルされる。複数のＰＨＩＣＨを同じＲＥで多重できて、ＰＨＩＣＨ群をコンフォームする。ＰＨＩＣＨ群は、周波数および／または時間領域におけるダイバーシティ利得を得るために３回繰り返される。
【００３２】
ＰＤＣＣＨは、最初の「ｎ」個のＯＦＤＭシンボル中に割り当てられる（ここで「ｎ」は、ＰＣＦＩＣＨによって示される）。ＰＤＣＣＨは、下りリンク制御情報（ＤＣＩ：Ｄｏｗｎｌｉｎｋ  Ｃｏｎｔｒｏｌ  Ｉｎｆｏｒｍａｔｉｏｎ）メッセージを含み、ＤＣＩメッセージは、下りリンクおよび上りリンク・スケジューリング情報、下りリンクＡＣＫ／ＮＡＣＫ、電力制御情報などを含むことができる。ＤＣＩは、複数の制御チャネル要素（ＣＣＥ：Ｃｏｎｔｒｏｌ  Ｃｈａｎｎｅｌ  Ｅｌｅｍｅｎｔ）によって運ばれる。ＣＣＥは、ＣＲＳ、ＰＣＦＩＣＨ、またはＰＨＩＣＨによって占有されない同じＯＦＤＭシンボルにおける４つの連続したＲＥからなる。
【００３３】
ＣＣＥには、第１に周波数の昇順および第２に時刻の昇順に０から始まる番号が付けられる。最初に、第１のＯＦＤＭシンボルにおける最低周波数のＲＥが考慮される。そのＲＥが他のＣＣＥ、ＣＲＳ、ＰＨＩＣＨ、またはＰＣＦＩＣＨによって占有されない場合、それに番号が付けられる。そうでない場合には、次のＯＦＤＭシンボルに対応する同じＲＥが評価される。すべてのＯＦＤＭシンボルが一旦考慮されると、周波数順にすべてのＲＥに対してこのプロセスが繰り返される。
【００３４】
データ領域において参照信号によって占有されないＲＥをｅＰＤＣＣＨまたは物理下りリンク共有チャネル（ＰＤＳＣＨ：Ｐｈｙｓｉｃａｌ  Ｄｏｗｎｌｉｎｋ  Ｓｈａｒｅｄ  Ｃａｎｎｅｌ）に割り当てることができる。
【００３５】
ＵＥは、ＰＤＣＣＨ候補のセットをモニタし、モニタリングとは、すべてのモニタされたＤＣＩフォーマットに従ってセット中のそれぞれのＰＤＣＣＨを復号しようと試みることを示唆する。モニタすべきＰＤＣＣＨ候補のセットは、サーチスペース（ＳＳ：Ｓｅａｒｃｈ  Ｓｐａｃｅ）の観点から定義され、所定のアグリゲーション・レベルＬにおけるサーチスペースＳｋ（Ｌ）がＰＤＣＣＨ候補のセットによって定義される。
【００３６】
各ＵＥは、２つのサーチスペース、ＵＥ固有サーチスペース（ＵＳＳ：ＵＥ−ｓｐｅｃｉｆｉｃ  Ｓｅａｒｃｈ  Ｓｐａｃｅ）および共通サーチスペース（ＣＳＳ）をモニタする。ＵＳＳは、専らＵＥに向けられた情報を運び、それゆえに関連するＵＥのみがその情報を復号できる。ＵＳＳは、ＵＥごとに異なる。２つ以上の移動局デバイスのＵＳＳが部分的に重なり合うことがありうる。ＣＳＳは、すべてのＵＥに向けれらた一般的な情報を含む。すべてのＵＥは、同じ共通サーチスペースをモニタして、その中の情報を復号することが可能である。
【００３７】
図３は、下りリンクＰＲＢの例を示す。ＰＲＢのＲＥのうちのいくつかは、参照信号によって占有される。異なる参照信号は、異なるアンテナポートに関連付けられる。用語「アンテナポート」は、同一のチャネル状態の下での信号送信の意味を伝えるために用いられる。例えば、アンテナポート０で送信される複数の信号は、アンテナポート１とは異なる同じチャネル状態を経験する。
【００３８】
Ｒ０〜Ｒ３は、セル固有ＲＳ（ＣＲＳ）に対応し、ＣＲＳは、ＰＤＣＣＨと同じアンテナポート（アンテナポート０〜３）で送信され、ＰＤＣＣＨで送信されたデータを復調するため、さらにいくつかの送信モード（ＴＭ）においてＰＤＳＣＨで送信されたデータも復調するために用いられる。
【００３９】
Ｄ１〜Ｄ２は、ｅＰＤＣＣＨと関連付けられたＤＭ−ＲＳに対応する。Ｄ１〜Ｄ２は、アンテナポート１０７〜１１０で送信され、移動局デバイスがその中でｅＰＤＣＣＨを復調するための復調参照信号としての役割を果たす。ＵＥ固有参照信号は、設定されているときには同じＲＥで（同時にではなく）送信される。ＵＥ固有参照信号は、アンテナポート７〜１４で送信され、移動局デバイスがその中でＰＤＳＣＨを復調するための復調参照信号としての機能を果たす。
【００４０】
Ｃ１〜Ｃ４は、ＣＳＩ−ＲＳ（チャネル状態情報ＲＳ）に対応する。Ｃ１〜Ｃ４は、アンテナポート１５〜２２で送信され、移動局デバイスがチャネル状態を測定することを可能にする。
【００４１】
図４は、上りリンクサブフレームの構成例を示す。上りリンク送信は、ＳＣＦＤＭＡ（シングルキャリア周波数分割多元接続：Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）を通じて行われる。上りリンク・リソースは、物理チャネル、例えば、ＰＵＳＣＨ（物理上りリンク共有チャネル：Ｐｈｙｓｉｃａｌ  Ｕｐｌｉｎｋ  Ｓｈａｒｅｄ  Ｃｈａｎｎｅｌ）およびＰＵＣＣＨ（物理上りリンク制御チャネル：Ｐｈｙｓｉｃａｌ  Ｕｐｌｉｎｋ  Ｃｏｎｔｒｏｌ  Ｃｈａｎｎｅｌ）に割り当てられる。加えて、上りリンク参照信号がＰＤＳＣＨおよびＰＵＣＣＨに対応するであろうリソースの一部で送信される。上りリンク・ワイヤレスフレームは、ＰＲＢ対からなる。ＰＲＢ対は、予め定義された周波数幅（リソースブロックの幅）と時間の長さ（２スロット＝１サブフレーム）とをもつスケジュール可能な基本単位である。
【００４２】
図５は、物理上りリンク・リソースのＰＵＣＣＨおよびＰＵＳＣＨへのアロケーションを示す。ＰＵＣＣＨ  ＰＲＢ対は、異なる周波数アロケーションをもつ２つのスロットからなる。ＰＵＣＣＨ要素ｍがインデックスｍとともにＰＵＣＣＨ  ＰＲＢ対に割り当てられ、ここでｍ＝０，１，２，３．．．である。
【００４３】
ＬＴＥにおけるデータの送信は、フレーム構造タイプ１（ＦＤＤ）を通じて、および／またはフレーム構造タイプ２（ＴＤＤ）を通じて行うことができる。
【００４４】
ＦＤＤに関しては、各無線フレームにおいて１０のサブフレームが下りリンク送信に利用可能であり、１０のサブフレームが上りリンク送信に利用可能である。上りリンクおよび下りリンク送信は、周波数領域において分離される。半二重ＦＤＤ動作では、ＵＥは、送受信を同時に行うことはできず、一方で全二重ＦＤＤではかかる制限は何もない。
【００４５】
ＦＤＤ基地局デバイスに接続された移動局デバイスは、下りリンクＰＤＳＣＨのスケジューリングを示すＰＤＣＣＨメッセージをサブフレームｎで受信する。ＰＤＣＣＨメッセージは、他の情報のうちでも特に、ＰＤＳＣＨが置かれたＰＲＢを含み、それにはＨＡＲＱプロセス番号が割り当てられる。移動局デバイスは、その情報を復号しようと試み、ＦＤＤ  ＨＡＲＱタイミングに従って、受信に成功（ＡＣＫ）もしくは失敗（ＮＡＣＫ）したことを示すＨＡＲＱ  ＡＣＫ／ＮＡＣＫ指標をサブフレームｎ＋４で基地局デバイスへ送信する。基地局デバイスは、ＨＡＲＱ−ＡＣＫ指標を受信した場合、ＨＡＲＱプロセス番号を解除し、次にそれを後続のＰＤＳＣＨのために用いることができる。そうではなく、基地局がＨＡＲＱ−ＮＡＣＫ指標を受信した（または指標を何も受信しなかった）場合には、基地局デバイスは、ＰＤＳＣＨをサブフレームｎ＋８で移動局デバイスへ再び送信しようと試みるであろう。再送信されるメッセージは、同じＨＡＲＱプロセス番号を保持し、移動局デバイスが新たな再送信を前に受信したデータと結びつけて、受信に成功する尤度を高めることを可能にする。それゆえに、ＦＤＤに関しては、在圏セルごとに最大８つの下りリンクＨＡＲＱプロセスがあるものとする。
【００４６】
図６は、時分割複信モード（ＴＤＤ：Ｔｉｍｅ  Ｄｉｖｉｓｉｏｎ  Ｄｕｐｌｅｘ）におけるＬＴＥ無線フレームの構成を示す。
【００４７】
ＬＴＥ無線フレームは、１０ｍｓの長さを有し、１０のサブフレームからなる。
【００４８】
各サブフレームは、ｅＮＢによって構成される通り下りリンクまたは上りリンクに用いることができる。下りリンクから上りリンク送信への切り替えは、スイッチポイントとしての機能を果たすスペシャルサブフレームを通じて行われる。設定に依存して、無線フレームは、１つのスペシャルサブフレーム（１０ｍｓのスイッチポイント周期）または２つのスペシャルサブフレーム（５ｍｓのスイッチポイント周期）を有することができる。
【００４９】
大部分のケースでは、サブフレーム＃１および＃７が「スペシャルサブフレーム」であり、３つのフィールドＤｗＰＴＳ（下りリンク・パイロット時間スロット：Ｄｏｗｎｌｉｎｋ  Ｐｉｌｏｔ  Ｔｉｍｅ  Ｓｌｏｔ）、ＧＰ（ガード期間：Ｇｕａｒｄ  Ｐｅｒｉｏｄ）およびＵｐＰＴＳ（上りリンク・パイロット時間スロット：Ｕｐｌｉｎｋ  Ｐｉｌｏｔ  Ｔｉｍｅ  Ｓｌｏｔ）を含む。ＤｗＰＴＳは、複数のＯＦＤＭシンボルにわたり、下りリンク送信専用である。ＧＰは、複数のＯＦＤＭシンボルにわたり、空である。ＧＰは、下りリンクと上りリンクとの間のスムーズな遷移を可能にするためにシステム条件に依存してより長いかまたはより短い。ＵｐＰＴＳは、複数のＯＦＤＭシンボルにわたり、上りリンク送信専門である。ＤｗＰＴＳは、プライマリ同期信号（ＰＳＳ：Ｐｒｉｍａｒｙ  Ｓｙｎｃｈｒｏｎｉｚａｔｉｏｎ  Ｓｉｇｎａｌ）を運ぶ。サブフレーム＃０および＃５は、セカンダリ同期信号（ＳＳＳ：Ｓｅｃｏｎｄａｒｙ  Ｓｙｎｃｈｒｏｎｉｚａｔｉｏｎ  Ｓｉｇｎａｌ）を運び、それゆえに上りリンク送信用には設定できない。サブフレーム＃２は、常に、上りリンク送信用に設定される。
【００５０】
図７は、可能な上り下りリンク設定のリストであり、「Ｕ」はサブフレームが上りリンク送信のために予約されていることを示し、「Ｄ」はサブフレームが下りリンク送信のために予約されていることを示し、「Ｓ」はスペシャルサブフレームを示す。基地局デバイスは、用いられることになる上り下りリンク設定のインデックスを移動局デバイスへ送信する。
【００５１】
基地局デバイスは、第２の上り下りリンク設定インデックスを送信できる。両方の上り下りリンクが同じ設定を有するサブフレームは、上記のように取り扱われる（それらのサブフレームは、本文書の残りの部分では漠然とレガシー・サブフレームと呼ばれる）。両方の上り下りリンク設定が異なるサブフレームは、フレキシブルサブフレームであり、上りリンクまたは下りリンクのいずれかに用いることができる。例えば、上り下りリンク設定１がＵとして設定され、上り下りリンク設定２がＤまたはＳとして設定される。
【００５２】
この図では現在定義されている上り下りリンク設定０から６が示されるが、本発明のいずれかの実施形態を起こりうる新しい上り下りリンク設定に適用することもできる。例えば、すべてのサブフレームが下りリンクとして定義された新しい上り下りリンク設定を導入して、その上り下りリンク設定を本発明のいずれかの実施形態に容易に適用することが可能であろう。例示的な新しい上り下りリンク設定を上り下りリンク設定７と名付けることができるであろう、もしくは他の上り下りリンク設定から区別するのを助けるために、明らかに異なる名前がそれに与えられてもよい。本文書の残りの部分には様々な上り下りリンク設定に言及する事例がある。それらのケースは、上記のような起こりうる新しい上り下りリンク設定が範囲の一部であることを妨げない。例えば、本発明のための表現「上り下りリンク設定１〜６」は、大部分のケースでは「上り下りリンク設定１〜７」と等価である。
【００５３】
図８は、ＴＤＤ在圏セルにおいてＨＡＲＱ指標に用いられる下りリンク・アソシエーションセット表を示す。この表は、本文書ではレガシー下りリンク・アソシエーションセットと呼ばれる。ＴＤＤ  ＨＡＲＱ−ＡＣＫ多重、およびＭ＞１をもち、Ｍが表で定義された集合Ｋにおける要素の数であるサブフレームｎ、ならびに１つの構成された在圏セルに関して、ｎ（ｌ）ＰＵＣＣＨ，ｉをサブフレームｎ−ｋｉから導出されたＰＵＣＣＨリソースとして、かつＨＡＲＱ−ＡＣＫ（ｉ）をサブフレームｎ−ｋｉからのＡＣＫ／ＮＡＣＫ／ＤＴＸ応答として示し、ここで、表で定義されるようにｋｉ∈Ｋおよび０≦ｉ≦Ｍ−１である。ＴＤＤに関して、移動局デバイスが１つの在圏セルを用いて構成されるか、または移動局デバイスが１つより多い在圏セルを用いて構成され、かつすべての構成された在圏セルのＴＤＤ  ＵＬ／ＤＬ設定が同じである場合、移動局デバイスは、サブフレーム（単数または複数）ｎ−ｋ内でのＰＤＳＣＨ送信または下りリンクＳＰＳ解除を示すＰＤＣＣＨ／ＥＰＤＣＣＨの検出の際に、ＵＬサブフレームｎでＨＡＲＱ−ＡＣＫ応答を送信するものとし、ここでｋｉ∈Ｋは、そのＵＥを対象とし、ＨＡＲＱ−ＡＣＫ応答がその送信に対して提供されるものとする。ＴＤＤに関して、移動局デバイスが１つより多い在圏セルを用いて構成され、少なくとも２つの構成された在圏セルのＴＤＤ  ＵＬ／ＤＬ設定が同じでない場合、ＤＬ参照設定が定義され、移動局デバイスは、在圏セルｃのためのサブフレーム（単数または複数）ｎ−ｋ内でのＰＤＳＣＨ送信または下りリンクＳＰＳ解除を示すＰＤＣＣＨ／ＥＰＤＣＣＨの検出の際に、ＵＬサブフレームｎでＨＡＲＱ−ＡＣＫ応答を送信するものとし、ここでｋ∈Ｋｃは、その移動局デバイスを対象とし、ＨＡＲＱ−ＡＣＫ応答がその送信に対して提供されるものとし、集合Ｋｃは、サブフレームｎ−ｋが在圏セルｃのためのＤＬサブフレームまたはスペシャルサブフレームに対応するｋ∈Ｋの値を含み、表において定義されるＫ（表中の「ＵＬ／ＤＬ設定」は、ＤＬ参照ＵＬ／ＤＬ設定を指す）は、サブフレームｎと関連付けられる。Ｍｃは、在圏セルｃのためのサブフレームｎと関連付けられた集合Ｋｃにおける要素の数である。例えば、ＵＬ／ＤＬ設定１に関して、上りリンクサブフレーム＃２では、移動局デバイスがサブフレームｎ−７およびｎ−６（前の無線フレームのサブフレーム＃５および＃６）に対応するＨＡＲＱ  ＡＣＫ／ＮＡＣＫ指標をこの順序で送信すると予想される。ＰＤＣＣＨ／ＥＰＤＣＣＨによって第１のＤＣＩフォーマット・サイズを用いてスケジュールされたＰＤＳＣＨ送信に対するＨＡＲＱ  ＡＣＫは、レガシー下りリンク・アソシエーションセットに基づいて送信される。
【００５４】
本発明の１つの実施形態において、ＦＤＤ在圏セルがＰＣｅｌｌであり、ＴＤＤ在圏セルがＳＣｅｌｌである場合、ＰＣｅｌｌは、レガシー下りリンク・アソシエーションセットに基づくＨＡＲＱタイミングに従い、一方でＳＣｅｌｌは、ＨＡＲＱ指標をサブフレームｎ＋４でＰＣｅｌｌ  ＰＵＣＣＨを通じて送信し、ここでｎは、ＰＤＳＣＨの受信が生じたサブフレームである。
【００５５】
ＴＤＤ  ＨＡＲＱ−ＡＣＫバンドリングおよびＭ＝１をもつサブフレームｎに関しては、移動局デバイスは、すべての対応するＵＤＡＩ＋ＮＳＰＳの個別ＰＤＳＣＨ送信ＨＡＲＱ−ＡＣＫならびに下りリンクＳＰＳ解除を示す受信したＰＤＣＣＨ／ＥＰＤＣＣＨに応答する個別ＡＣＫの、単一のＵＬサブフレームと関連付けられたＭＤＬサブフレームにわたるコードワードごとの論理積演算を行うことによって、１つまたは２つのＨＡＲＱ−ＡＣＫビットを発生させるものとし、ここでＭは、表で定義された集合Ｋにおける要素の数である。移動局デバイスは、少なくとも１つの下りリンクアサインメントが失われたかどうかを検出するものとし、ＵＥがＰＵＳＣＨ上で送信しているケースでは、移動局デバイスがパラメータＮｂｕｎｄｌｅｄも確定するものとする。
【００５６】
図９は、基地局デバイスがＵＬ／ＤＬ設定ごとに同時に取り扱いうると予想されるＨＡＲＱプロセスの数を有する表を示す。ＴＤＤに関して、ＵＥが１つの在圏セルを用いて構成されるか、またはＵＥが１つより多い在圏セルを用いて構成され、かつすべての構成された在圏セルのＴＤＤ  ＵＬ／ＤＬ設定が同じである場合、在圏セルごとの下りリンクＨＡＲＱプロセスの最大数は、ＵＬ／ＤＬ設定によって確定されるものとする。ＴＤＤに関して、ＵＥが１つより多い在圏セルを用いて構成され、かつ少なくとも２つの構成された在圏セルのＴＤＤ  ＵＬ／ＤＬ設定が同じでない場合、在圏セルのための下りリンクＨＡＲＱプロセスの最大数は、表に示されるように確定されるものとし、ここで表中の「ＴＤＤ  ＵＬ／ＤＬ設定」は、在圏セルのためのＤＬ参照ＵＬ／ＤＬ設定を指す。この図は、本文書ではレガシー表と呼ばれる。
【００５７】
移動局デバイスが１つより多い在圏セルを用いて構成され、かつ少なくとも２つの在圏セルが異なるＵＬ／ＤＬ設定を有する場合、ＭＤＬ＿ＨＡＲＱは、在圏セルのＤＬ参照ＵＬ／ＤＬ設定に関して表に定義されるようなＤＬ  ＨＡＲＱプロセスの最大数である。そうでない場合には、ＭＤＬ＿ＨＡＲＱは、ＤＬ  ＨＡＲＱプロセスの最大数である。
【００５８】
図１０は、基地局デバイスがフレキシブルサブフレームを含む上り下りリンク設定を指示できる方法の例を示す。
【００５９】
この例では、基地局デバイスが２つの上り下りリンク設定インデックスを送信する。第１のインデックスは、設定＃０に対応し、定義された最多数の上りリンクサブフレームが存在する。第２の設定（ＤＬ参照設定）は、基地局デバイスによってフレキシブルサブフレームを指示するために選ばれる。第１の設定では上りリンクとして構成され、第２の設定では下りリンクとして構成されたサブフレームがフレキシブルサブフレームである。
【００６０】
この例では、第２のインデックスが設定＃２に対応し、設定＃１では上りリンクとしてマーク付けされたサブフレームのうちの４つ（より正確には、サブフレーム＃３、＃４、＃８、および＃９）が下りリンクとしてマーク付けされ、従ってそれらがフレキシブルサブフレームである。
【００６１】
ＤＬ参照設定を用いて構成できない移動局デバイスは、本文書ではレガシー移動局デバイスとも呼ばれる。レガシー移動局デバイスは、フレキシブルサブフレームが上りリンク用に設定されると見做す。レガシー移動局デバイスは、ＰＤＣＣＨがこれらのサブフレーム上で送信されるとは想定せず、ＵＳＳまたはＣＳＳをモニタしない。
【００６２】
フレキシブルサブフレームの実際の方向（上りリンクまたは下りリンク）は、暗黙的に与えられる。フレキシブルサブフレームと適合する移動局デバイスは、上りリンク・スケジューリング・グラントがそのサブフレームではそのデバイスに何も与えられない場合、方向が下りリンクであると想定する。そのケースでは、移動局デバイスは、そのサブフレームのｅＰＤＣＣＨをモニタする。移動局デバイスは、そのサブフレーム中に上りリンク・スケジューリング・グラントを有する場合、下りリンクｅＰＤＣＣＨを何も想定せずに上りリンク・データ送信を進める。
【００６３】
下りリンク送信用に構成された別のフレキシブルサブフレームの直後のフレキシブルサブフレームは、上りリンクとして設定されない。下りリンクから上りリンクへの切り替えにはガード期間が必要であり、そのガード期間は、スペシャルサブフレームにおいてのみ定義される。
【００６４】
図１１は、移動局デバイス２に対応する移動局デバイスのブロック図である。図に示されるように、移動局デバイスは、上位レイヤ処理部１０１、制御部１０３、受信部１０５、送信部１０７、およびアンテナ部１０９を含む。上位レイヤ処理部１０１は、１つより多いセルを用いて、その１つをプライマリセルとし、残りのセルをセカンダリセルとして構成されることをサポートし、ワイヤレスリソース管理部１０１１、サブフレーム構成部１０１３、スケジューリング部１０１５、およびＣＳＩレポート管理部１０１７を含む。受信部１０５は、復号部１０５１、復調部１０５３、多重分離部１０５５、無線受信部１０５７、およびチャネル推定部１０５９を含む。送信部１０７は、符号化部１０７１、変調部１０７３、多重部１０７５、無線送信部１０７７、および上りリンク参照信号生成発生１０７９を含む。
【００６５】
上位レイヤ処理部１０１は、受信部１０５および送信部１０７の動作を制御するために制御信号を発生させて、それらの信号を制御部１０３へ出力する。加えて、上位レイヤ処理部１０１は、ＭＡＣレイヤ（Ｍｅｄｉｕｍ  Ａｃｃｅｓｓ  Ｃｏｎｔｒｏｌ：媒体アクセス制御）、ＰＤＣＰレイヤ（Ｐａｃｋｅｔ  Ｄａｔａ  Ｃｏｎｖｅｒｇｅｎｃｅ  ｐｒｏｔｏｃｏｌ：パケットデータ・コンバージェンス・プロトコル）、ＲＬＣレイヤ（Ｒａｄｉｏ  Ｌｉｎｋ  Ｃｏｎｔｒｏｌ：無線リンク制御）、およびＲＲＣレイヤ（Ｒａｄｉｏ  Ｒｅｓｏｕｒｃｅ  Ｃｏｎｔｒｏｌ：無線リソース制御）に関連する動作を処理する。
【００６６】
上位レイヤ処理部１０１におけるワイヤレスリソース管理部１０１１は、それ自体の動作に関連する設定を管理する。加えて、ワイヤレスリソース管理部は、各チャネルで送信されるデータを発生させて、この情報を送信部１０７へ出力する。
【００６７】
上位レイヤ処理部１０１におけるサブフレーム構成部１０１３は、上りリンク参照信号設定、下りリンク参照信号設定、および送信方向設定を管理する。サブフレーム構成部１０１３は、少なくとも２つのサブフレームのサブフレーム・セットを設定する。
【００６８】
上位レイヤ処理部１０１におけるスケジューリング部１０１５は、受信部１０５を通じて受信したＤＣＩメッセージに含まれるスケジューリング情報を読み出し、制御情報を制御部１０３へ出力して、次には制御部１０３が必要とされる動作を行うために制御情報を受信部１０５および送信部１０７へ送信する。スケジューリング部１０１５は、ＦＤＤセカンダリセルから受信したＤＣＩに関して、ＦＤＤセルがプライマリセルとして構成されているケースでは第１のＤＣＩフォーマット・サイズ、およびＴＤＤセルがプライマリセルとして構成されているケースでは第２のＤＣＩフォーマット・サイズを想定し、ＴＤＤセカンダリセルから受信したＤＣＩに関してはその逆を想定する。ＨＡＲＱプロセス番号のための第１のビットフィールド・サイズが第１のＤＣＩフォーマット・サイズに関して想定され、ＨＡＲＱプロセス番号のための第２のビットフィールド・サイズが第２のＤＣＩフォーマット・サイズに関して想定される。
【００６９】
加えて、スケジューリング部１０１５は、上りリンク参照設定、下りリンク参照設定、および／または送信方向設定に基づいて送信処理および受信処理タイミングを決定する。
【００７０】
上位レイヤ処理部１０１におけるＣＳＩレポート管理部１０１７は、ＣＳＩ参照ＲＥを識別する。ＣＳＩレポート管理部１０１７は、チャネルのＣＱＩ（Ｃｈａｎｎｅｌ  Ｑｕａｌｉｔｙ  Ｉｎｆｏｒｍａｔｉｏｎ：チャネル品質情報）をＣＳＩ参照ＲＥから導出するようにチャネル推定部１０５９にリクエストする。ＣＳＩレポート管理部１０１７は、ＣＱＩを送信部１０７へ出力する。ＣＳＩレポート管理部１０１７は、チャネル推定部１０５９の構成をセットする。
【００７１】
制御部１０３は、上位レイヤ処理部１０１から受信した制御情報に基づいて受信部１０５および送信部１０７へアドレス指定された制御信号を発生させる。制御部１０３は、発生した制御信号を通じて受信部１０５および送信部１０７の動作を制御する。制御部１０３は、ＦＤＤセカンダリセルから受信したＤＣＩに関して、ＦＤＤセルがプライマリセルとして構成されているケースでは第１のＤＣＩフォーマット・サイズ、およびＴＤＤセルがプライマリセルとして構成されているケースでは第２のＤＣＩフォーマット・サイズを復号部１０５１へ示し、ＴＤＤセカンダリセルから受信したＤＣＩに関してはその逆を示す。ＨＡＲＱプロセス番号のための第１のビットフィールド・サイズが第１のＤＣＩフォーマット・サイズに関して想定され、ＨＡＲＱプロセス番号のための第２のビットフィールド・サイズが第２のＤＣＩフォーマット・サイズに関して想定される。
【００７２】
受信部１０５は、制御部１０３から受信した制御情報に従って基地局デバイス１からの情報をアンテナ部１０９経由で受信し、それに対して多重分離、復調および復号を行う。受信部１０５は、これらの動作の結果を上位レイヤ処理部１０１へ出力する。
【００７３】
無線受信部１０５７は、基地局デバイス１からアンテナ部１０９経由で受信した下りリンク情報をダウンコンバートし、不必要な周波数成分を削除して、信号を十分なレベルにするために増幅を行い、受信信号の同相および直交成分に基づいて受信したアナログ信号をデジタル信号へ変換する。無線受信部１０５７は、デジタル信号からガードインターバル（ＧＩ：Ｇｕａｒｄ  Ｉｎｔｅｒｖａｌ）をトリミングして、周波数領域信号を抽出するためにＦＦＴ（Ｆａｓｔ  Ｆｏｕｒｉｅｒ  Ｔｒａｎｓｆｏｒｍ：高速フーリエ変換）を行う。
【００７４】
多重分離部１０５５は、抽出された周波数領域信号からＰＨＩＣＨ、ＰＤＣＣＨ、ｅＰＤＣＣＨ、ＰＤＳＣＨ、および下りリンク参照信号を多重分離する。加えて、多重分離部１０５５は、チャネル推定部１０５９から受信したチャネル推定値に基づいてＰＨＩＣＨ、ＰＤＣＣＨ、ｅＰＤＣＣＨ、およびＰＤＳＣＨへのチャネル補償を行う。多重分離部１０５５は、多重分離された下りリンク参照信号をチャネル推定部１０５９へ出力する。
【００７５】
復調部１０５３は、ＰＨＩＣＨに対応するコードによって乗算を行い、結果として生じた信号に対してＢＰＳＫ（Ｂｉｎａｒｙ  Ｐｈａｓｅ  Ｓｈｉｆｔ  Ｋｅｙｉｎｇ：２相位相シフトキーイング）復調を行って、結果を復号部１０５１へ出力する。復号部１０５１は、移動局デバイス２へアドレス指定されたＰＨＩＣＨを復号して、復号されたＨＡＲＱインジケータを上位レイヤ処理部１０１へ送信する。復調部１０５３は、ＰＤＣＣＨおよび／またはｅＰＤＣＣＨに対してＱＰＳＫ（Ｑｕａｄｒａｔｕｒｅ  Ｐｈａｓｅ  Ｓｈｉｆｔ  Ｋｅｙｉｎｇ：直交位相シフトキーイング）復調を行って、結果を復号部１０５１へ出力する。復号部１０５１は、ＰＤＣＣＨおよび／またはｅＰＤＣＣＨを復号しようと試みる。復号動作に成功した場合、復号部１０５１は、下りリンク制御情報および対応するＲＮＴＩを上位レイヤ処理部１０１へ送信する。復号部１０５１は、ＦＤＤセカンダリセルから受信したＤＣＩに関して、ＦＤＤセルがプライマリセルとして構成されているケースでは第１のＤＣＩフォーマット・サイズ、およびＴＤＤセルがプライマリセルとして構成されているケースでは第２のＤＣＩフォーマット・サイズを想定し、ＴＤＤセカンダリセルから受信したＤＣＩに関してはその逆を想定する。ＨＡＲＱプロセス番号のための第１のビットフィールド・サイズが第１のＤＣＩフォーマット・サイズに関して想定され、ＨＡＲＱプロセス番号のための第２のビットフィールド・サイズが第２のＤＣＩフォーマット・サイズに関して想定される。
【００７６】
復調部１０５３は、下りリンク制御グラント指標（ＱＰＳＫ、１６ＱＡＭ（Ｑｕａｄｒａｔｕｒｅ  Ａｍｐｌｉｔｕｄｅ  Ｍｏｄｕｌａｔｉｏｎ：直交振幅変調）、６４ＱＡＭ、その他）によって示されるように移動局デバイス２へアドレス指定されたＰＤＳＣＨを復調して、結果を復号部１０５１へ出力する。復号部１０５１は、下りリンク制御グラント指標によって示されるように復号を行って、復号された下りリンク・データ（トランスポートブロック）を上位レイヤ処理部１０１へ出力する。
【００７７】
チャネル推定部１０５９は、多重分離部１０５５から受信した下りリンク参照信号からパスロスおよびチャネル状態を推定して、推定されたパスロスおよびチャネル状態を上位レイヤ処理部１０１へ出力する。加えて、チャネル推定部１０５９は、下りリンク参照信号から推定されたチャネル値を多重分離部１０５５へ出力する。ＣＱＩを計算するために、チャネル推定部１０５９は、チャネルおよび／または干渉に対する測定を行う。
【００７８】
送信部１０７は、制御部１０３から受信した制御情報に従って、上りリンク参照信号を発生させて、上位レイヤ処理部から受信した上りリンク・データ（トランスポートブロック）に対して符号化および変調を行い、ＰＵＣＣＨ、ＰＵＳＣＨおよび発生した上りリンク参照信号を多重して、それをアンテナ部１０９を通じて基地局１へ送信する。
【００７９】
符号化部１０７１は、上位レイヤ処理部１０１から受信した上りリンク制御情報に対してブロック符号化、畳み込み符号化その他を行う。加えて、符号化部１０７１は、スケジュールされたＰＵＳＣＨデータに対してターボ符号化を行う。
【００８０】
変調部１０７３は、基地局デバイス１から受信した下りリンク制御指標か、またはチャネルごとに予め定義された変調規則に従って、符号化部１０７１から受信した符号化ビットストリームに対して変調（ＢＰＳＫ、ＱＰＳＫ、１６ＱＡＭ、６４ＱＡＭ、その他）を行う。変調部１０７３は、空間多重を通じて送信するためのＰＵＳＣＨストリームの数を決定し、上りリンク・データをその異なる数のストリームへマッピングし、それらのストリームに対してＭＩＭＯ  ＳＭ（Ｍｕｌｔｉｐｌｅ  Ｉｎｐｕｔ  Ｍｕｌｔｉｐｌｅ  Ｏｕｔｐｕｔ  Ｓｐａｔｉａｌ  Ｍｕｌｔｉｐｌｅｘｉｎｇ：多入力多出力空間多重）プリコーディングを行う。
【００８１】
上りリンク参照信号発生部１０７９は、移動局デバイス２から送信された信号、上りリンク参照信号が置かれたバンド幅の値、上りリンクグラントに示された巡回シフト、およびＤＭＲＳシーケンス発生に関するパラメータの値を基地局デバイス１が見分けることを可能にするために、ＰＣＩ（Ｐｈｙｓｉｃａｌ  Ｃｅｌｌ  Ｉｄｅｎｔｉｔｙ：物理セルアイデンティティ、またはセルＩＤ）による一連の予め定義されたルールに従ってビットストリームを発生させる。多重部１０７５は、ＰＵＳＣＨ変調シンボルを異なるストリーム中に配置して、制御部１０３によって与えられた指標に従ってそれらに対してＤＦＴ（Ｄｉｓｃｒｅｔｅ  Ｆｏｕｒｉｅｒ  Ｔｒａｎｓｆｏｒｍ：離散的フーリエ変換）を行う。加えて、多重部１０７５は、ＰＵＣＣＨ、ＰＵＳＣＨ、および発生した参照信号をそれらの適切なアンテナポートにおけるそれらに対応するＲＥ中に多重する。
【００８２】
無線送信部１０７７は、多重された信号に対してＩＦＦＴ（Ｉｎｖｅｒｓｅ  Ｆａｓｔ  Ｆｏｕｒｉｅｒ  Ｔｒａｎｓｆｏｒｍ：逆高速フーリエ変換）を行い、それらに対してＳＣ−ＦＤＭＡ変調（シングルキャリア周波数分割多元接続）を行い、結果として生じたストリームにＧＩを加算し、デジタル・ベースバンド信号を発生させて、デジタル・ベースバンド信号をアナログ・ベースバンド信号に変換し、そのアナログ信号の同相および直交成分を発生させて、それをアップコンバートし、不必要な周波数成分を除去して、電力増幅を行い、結果として生じた信号をアンテナ部１０９へ出力する。
【００８３】
図１２は、基地局デバイス１に対応する基地局デバイスのブロック図である。図に示されるように、移動局デバイスは、上位レイヤ処理部３０１、制御部３０３、受信部３０５、送信部３０７、およびアンテナ部３０９を含む。上位レイヤ処理部３０１は、基地局デバイス中に存在する１つ以上のセルにサポートを与え、ワイヤレスリソース管理部３０１１、サブフレーム構成部３０１３、スケジューリング部３０１５、およびＣＳＩレポート管理部３０１７を含む。受信部３０５は、復号部３０５１、復調部３０５３、多重分離部３０５５、無線受信部３０５７、およびチャネル推定部３０５９を含む。送信部３０７は、符号化部３０７１、変調部３０７３、多重部３０７５、無線送信部３０７７、および下りリンク参照信号生成発生３０７９を含む。
【００８４】
上位レイヤ処理部３０１は、受信部３０５および送信部３０７の動作を制御するために制御信号を発生させて、それらの信号を制御部３０３へ出力する。加えて、上位レイヤ処理部３０１は、ＭＡＣレイヤ（媒体アクセス制御）、ＰＤＣＰレイヤ（パケットデータ・コンバージェンス・プロトコル）、ＲＬＣレイヤ（無線リンク制御）、およびＲＲＣレイヤ（無線リソース制御）に関連する動作を処理する。
【００８５】
上位レイヤ処理部３０１におけるワイヤレスリソース管理部３０１１は、下りリンクＰＤＳＣＨで送信するための下りリンク・データ（トランスポートブロック）、システム情報、ＲＲＣメッセージおよびＭＡＣ  ＣＥ（Ｃｏｎｔｒｏｌ  Ｅｌｅｍｅｎｔ：制御要素）を発生させて、それを送信部３０７へ出力する。代わりに、この情報を上位レイヤから取得することができる。加えて、ワイヤレスリソース管理部３０１１は、各移動局デバイスの設定情報を管理する。
【００８６】
上位レイヤ処理部３０１におけるサブフレーム構成部３０１３は、各移動局デバイスの上りリンク参照信号設定、下りリンク参照信号設定、および送信方向設定を管理する。
【００８７】
サブフレーム構成部３０１３は、第１のパラメータ「上りリンク参照信号設定」、第２のパラメータ「下りリンク参照信号設定」、および第３のパラメータ「送信方向設定」を発生させる。サブフレーム構成部３０１３は、３つのパラメータを送信部３０７経由で移動局デバイス２へ送信する。
【００８８】
基地局デバイス１が上りリンク参照信号設定、下りリンク参照信号設定、および／または送信方向設定を決定してもよい。代わりに、これらのパラメータのうちのいずれかが上位レイヤによって設定されてもよい。
【００８９】
例えば、サブフレーム構成部３０１３が上りリンクまたは下りリンクのトラフィック状態に基づいて上りリンク参照信号設定、下りリンク参照信号設定、および／または送信方向設定を決定してもよい。
【００９０】
サブフレーム構成部３０１３は、少なくとも２つのサブフレームのセットを管理する。サブフレーム構成部３０１３は、移動局デバイスごとに少なくとも２つのサブフレームのセットを管理してもよい。サブフレーム構成部３０１３は、在圏セルごとに少なくとも２つのサブフレームのセットを管理してもよい。サブフレーム構成部３０１３は、ＣＳＩプロセスごとに少なくとも２つのサブフレームのセットを管理してもよい。
【００９１】
サブフレーム構成部３０１３は、少なくとも２つのサブフレームのセットに対応する設定情報を送信部３０７を通じて移動局デバイス２へ送信する。
【００９２】
上位レイヤ処理部３０１におけるスケジューリング部３０１５は、移動局２から受信したチャネル状態レポートと、チャネル推定部３０５９から受信したチャネル推定およびチャネル品質パラメータとに従って、物理チャネル（ＰＤＳＣＨおよびＰＵＳＣＨ）の周波数およびサブフレームアロケーション、およびそれらの適切な符号化率、変調および送信電力を決定する。スケジューリング部３０１５は、フレキシブルサブフレームが下りリンク物理チャネルおよび／または下りリンク物理信号スケジューリングに、あるいは上りリンク物理チャネルおよび／または上りリンク物理信号スケジューリングに用いられるかどうかを決定する。スケジューリング部３０１５は、結果として生じたスケジューリングに基づいて受信部３０５および送信部３０７を制御するために（例えば、ＤＣＩフォーマット（下りリンク制御情報）をもつ）制御信号を発生させて、それらの信号を制御部３０３へ出力する。スケジューリング部３０１５は、ＦＤＤセルがプライマリセルとして構成されているケースでは第１のＤＣＩフォーマット・サイズ、およびＴＤＤセルがプライマリセルとして構成されているケースでは第２のＤＣＩフォーマット・サイズを用いてＦＤＤセカンダリセルに関連する制御信号を発生させ、ＴＤＤセカンダリセルに関連する制御信号に関してはその逆を用いる。ＨＡＲＱプロセス番号のための第１のビットフィールド・サイズが第１のＤＣＩフォーマット・サイズに関して想定され、ＨＡＲＱプロセス番号のための第２のビットフィールド・サイズが第２のＤＣＩフォーマット・サイズに関して想定される。
【００９３】
スケジューリング部３０１５は、結果として生じたスケジューリングに基づいて物理チャネル（ＰＤＳＣＨおよびＰＵＳＣＨ）に関するスケジューリング情報を運ぶレポートを発生させる。そのうえ、スケジューリング部３０１５は、上りリンク参照信号設定、下りリンク参照信号設定、および／または送信方向設定に基づいて受信および送信タイミングを決定する。
【００９４】
上位レイヤ処理３０１におけるＣＳＩレポート管理部３０１７は、移動局デバイス２のＣＳＩレポートを制御する。ＣＳＩレポート管理部３０１７は、ＣＳＩ参照信号ＲＥからＣＱＩを導出するための設定情報をアンテナ部３０９経由で移動局デバイス２へ送信する。
【００９５】
制御部３０３は、上位レイヤ処理部３０１から受信した制御信号に従って受信部３０５および送信部３０７を管理するために制御信号を発生させる。制御部３０３は、これらの信号を受信部３０５および送信部３０７へ出力して、それらの動作を制御する。制御部３０３は、ＦＤＤセルがプライマリセルとして構成されているケースでは第１のＤＣＩフォーマット・サイズ、およびＴＤＤセルがプライマリセルとして構成されているケースでは第２のＤＣＩフォーマット・サイズを用いてＦＤＤセカンダリセルに関連する制御信号を発生させるように符号化部３０７１に指示し、ＴＤＤセカンダリセルに関連する制御信号に関してはその逆を指示する。ＨＡＲＱプロセス番号のための第１のビットフィールド・サイズが第１のＤＣＩフォーマット・サイズに関して想定され、ＨＡＲＱプロセス番号のための第２のビットフィールド・サイズが第２のＤＣＩフォーマット・サイズに関して想定される。
【００９６】
受信部３０５は、制御部３０３から受信した制御信号に従って、移動局デバイス２からの情報をアンテナ部３０９経由で受信して、その情報に対して多重分離、復調および復号を行う。受信部３０５は、これらの動作の結果を上位レイヤ処理部３１０１へ出力する。
【００９７】
無線受信部３０５７は、移動局デバイス２からアンテナ部３０９経由で受信した下りリンク情報をダウンコンバートし、不必要な周波数成分を削除して、信号を十分なレベルにするために増幅を行い、受信信号の同相および直交成分に基づいて、受信したアナログ信号をデジタル信号に変換する。無線受信部３０５７は、デジタル信号からガードインターバル（ＧＩ）をトリミングして、周波数領域信号を抽出するためにＦＦＴ（高速フーリエ変換）を行う。
【００９８】
多重分離部３０５５は、無線受信部３０５７からの受信信号のＰＵＣＣＨ、ＰＵＳＣＨ、および参照信号を多重分離する。この多重分離は、移動局２へ送信された上りリンクグラントおよびワイヤレスリソースアロケーション情報に従って行われる。加えて、多重分離部３０５５は、チャネル推定部３０５９から受信したチャネル推定値に従ってＰＵＣＣＨおよびＰＵＳＣＨのチャネル補償を行う。加えて、多重分離部３０５５は、多重分離された上りリンク参照信号をチャネル推定部３０５９に与える。
【００９９】
復調部３０５３は、ＰＵＳＣＨに対してＩＤＦＴ（Ｉｎｖｅｒｓｅ  Ｄｉｓｃｒｅｔｅ  Ｆｏｕｒｉｅｒ  Ｔｒａｎｓｆｏｒｍ：逆離散フーリエ変換）を行い、変調されたシンボルを取得し、上りリンクグラント通知で移動局２へ送信された変調設定に従って、もしくは別の予め定義された設定に従ってＰＵＣＣＨおよびＰＵＳＣＨシンボルごとに復調（ＢＰＳＫ、ＱＰＳＫ、１６ＱＡＭ、６４ＱＡＭ、その他）を行う。復調部３０５３は、上りリンクグラント通知で移動局２へ送信されたＭＩＭＯ  ＳＭプリコーディング設定に従って、または別の予め定義された設定に従ってＰＵＳＣＨで受信したシンボルを分離する。
【０１００】
復号部３０５１は、上りリンクグラント通知で移動局２へ送信された符号化率設定に従って、または別の予め定義された設定に従ってＰＵＳＣＣＨおよびＰＵＳＣＨで受信した上りリンク・データを復号して、結果として生じたストリームを上位レイヤ処理部３０１へ出力する。再送信されたＰＵＳＣＨのケースでは、復号部３０５１は、受信した復調ビットを上位処理部３０１でＨＡＲＱバッファ中に保持された符号化ビットを用いて復号する。チャネル推定部３０５９は、多重分離部３０５５から受信した上りリンク参照信号を用いてチャネル状態およびチャネル品質を推定して、この情報を多重分離部３０５５および上位レイヤ・プロセス部３０１へ出力する。
【０１０１】
送信部３０７は、制御部３０３から受信した制御情報に従って、下りリンク参照信号を発生させ、上位レイヤ処理部３０１から受信したＨＡＲＱインジケータを含んだ下りリンク制御情報を準備して、下りリンク・データの符号化および変調を行い、結果をＰＨＩＣＨ、ＰＤＣＣＨ、ｅＰＤＣＣＨ、ＰＤＳＣＨおよび下りリンク参照信号と多重して、結果として生じた信号をアンテナ部３０９経由で移動局デバイス２へ送信する。
【０１０２】
符号化部３０７１は、ワイヤレスリソース管理部３０１１によって決定された符号化設定に従って、または別の予め定義された設定に従って、上位レイヤ処理３０１から受信したＨＡＲＱインジケータ、下りリンク制御情報および下りリンク・データに対してブロック符号化、畳み込み符号化、ターボ符号化、その他を行う。符号化部３０７１は、ＦＤＤセルがプライマリセルとして構成されているケースでは第１のＤＣＩフォーマット・サイズ、およびＴＤＤセルがプライマリセルとして構成されているケースでは第２のＤＣＩフォーマット・サイズを用いてＦＤＤセカンダリセルに関連する制御信号を発生させ、ＴＤＤセカンダリセルに関連する制御信号に関してはその逆を用いる。ＨＡＲＱプロセス番号のための第１のビットフィールド・サイズが第１のＤＣＩフォーマット・サイズに関して想定され、ＨＡＲＱプロセス番号のための第２のビットフィールド・サイズが第２のＤＣＩフォーマット・サイズに関して想定される。変調部３０７３は、ワイヤレスリソース管理部３０１１によって決定された変調設定に従って、または別の予め定義された設定に従って、符号化部３０７１から受信した符号化ビットストリームに対して変調（ＢＰＳＫ、ＱＰＳＫ、１６ＱＡＭ、６４ＱＡＭ、その他）を行う。
【０１０３】
下りリンク参照信号発生部３０７９は、いくつかの予め定義されたルールに従い、かつ移動局デバイス２が基地局デバイス１の送信を見分けることを可能にするＰＣＩ（物理セルアイデンティティ）を利用して、移動局デバイス２によってよく知られた下りリンク参照信号を発生させる。多重部３０７５は、各チャネルにおける変調されたシンボルと発生した下りリンク参照信号とをそれらの適切なアンテナポートにおけるそれらに対応するＲＥ中に多重する。
【０１０４】
無線送信部３０７７は、多重された信号に対してＩＦＦＴ（逆高速フーリエ変換）、ＯＦＤＭ変調を行い、ＯＦＤＭシンボルにガードインターバルを加算し、デジタル・ベースバンド信号を発生させて、デジタル・ベースバンド信号をアナログ・ベースバンド信号に変換し、アナログ信号の同相および直交成分を発生させて、それをアップコンバートし、不必要な周波数成分を除去して、電力増幅を行い、結果として生じた信号をアンテナ部３０９へ出力する。
【０１０５】
制御または情報データの送信に利用可能なリソースの数は、各リソースブロック中に存在する参照信号に依存する。基地局デバイスは、適正なリソース要素マッピングによってこれらのＲＥでのデータの送信を回避するように構成される。
【０１０６】
移動局デバイスは、データを読み出すためにいつでも用いられるリソース要素マッピングを想定する。データは、関連付けられたアンテナポート上のＲＥへ順にマッピングされ、これらのＲＥは、ＥＰＤＣＣＨ送信のために割り当てられたＥＲＥＧの一部であり、ＣＲＳのため、またはＣＳＩ−ＲＳのためには用いられないことがＵＥによって想定され、かつｌＥＰＤＣＣＨｓｔａｒｔによって示される開始ＯＦＤＭシンボル以上のＯＦＤＭシンボル中に置かれるという条件を満たす。
【０１０７】
ＰＤＣＣＨ領域では、ＣＣＥは、情報を送信するために４つの利用可能なＲＥを常に有するように定義される。これを行うために、ＣＣＥ構成は、存在するＣＲＳの数またはＰＨＩＣＨの到達範囲に依存していくらかの変化を示す。結果として、ＰＤＣＣＨメッセージは、常に同じビット数を有する。
【０１０８】
しかしながら、ｅＰＤＣＣＨ／ＰＤＳＣＨ領域ではビット数が可変である。すべての利用可能なＲＥを用いることができるためには、基地局移動がデータをそれらのＲＥに収容しなければならない。これは、レートマッチングによって達成される。
【０１０９】
レートマッチング動作は、ターボ符号動作の符号化率を変化させることによって所要サイズのビットストリームを発生させる。レートマッチング・アルゴリズムは、任意のレートを生成することが可能である。ターボ・エンコーダからのビットストリームがインタリーブ動作とそれに続くビット収集を経てサーキュラバッファを作り出す。このバッファからビットが選択され、切り詰められて、所望の符号化率をもつ単一のビットストリームを作り出す。
【０１１０】
図１３は、移動局デバイスがＵＳＳおよびＣＳＳにおいてアグリゲーション・レベルごとにモニタする値を含む。アグリゲーション・レベルとは、ＰＤＣＣＨが用いるＣＣＥの数である。移動局デバイスは、アグリゲーション・レベルごとにＰＤＣＣＨ候補の数Ｍ（Ｌ）をモニタする。共通サーチスペースに関しては、Ｌが２つの値Ｌ＝４またはＬ＝８のうちの１つを取ることができる。ＵＥがモニタする候補の数は、Ｌ＝４に対してＭ（Ｌ）＝４およびＬ＝８に対してＭ（Ｌ）＝２である。それぞれのケースのサーチスペースのサイズは、１６ＣＣＥである。
【０１１１】
拡張型ＰＤＣＣＨ（ｅＰＤＣＣＨ）の基本単位は、拡張されたリソース要素群（ＥＲＥＧ：Ｅｎｈａｎｃｅｄ  Ｒｅｓｏｕｒｃｅ  Ｅｌｅｍｅｎｔ  Ｇｒｏｕｐ）である。ＰＲＢ対のＲＥは、ＤＭＲＳ（ＤｅＭｏｄｕｌａｔｉｏｎ  Ｒｅｆｅｒｅｎｃｅ  Ｓｉｇｎａｌ：復調参照信号）を含んでもよいＲＥをスキップして、周波数およびＯＦＤＭシンボルの昇順に０〜１５まで周期的に番号付けされる。ＰＤＳＣＨに適用される同じ送信処理がＤＭＲＳに適用され、それによって、ＵＥは、データを復調できるためにＵＥが必要とする情報を取得することが可能である。ＥＲＥＧｉは、番号「ｉ」をもつすべてのＲＥからなり、ここでｉ＝０，１，．．．１５である。
【０１１２】
しかしながら、用いることができるＲＥの数は、固定されていない。ＰＤＣＣＨ、ＣＲＳおよびＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ：チャネル状態情報参照信号）に用いられるＲＥをｅＰＤＣＣＨに用いることはできない。ＣＳＩ−ＲＳは、ＵＥが８つまでのアンテナのチャネル状態を測定することを可能にするために周期的に送信され、スペシャルサブフレーム設定に関しては定義されない。
【０１１３】
制御情報は、拡張されたＣＣＥ（ＥＣＣＥ）で送信され、ＥＣＣＥは、所定の設定に対して各ＥＣＣＥでの送信に利用できるＲＥの数に依存して、４つまたは８つのＥＲＥＧからなる。
【０１１４】
各々が独立して構成可能であり、かつ１、２、４または８つのＰＲＢ対にわたる、ｅＰＤＣＣＨセットの１つまたは２つのセットが同時に存在できる。ｅＰＤＣＣＨは、ＤＭ−ＲＳとともに、アンテナポート１０７〜１１０で送信される。
【０１１５】
図１４は、ｅＰＤＣＣＨセットｉのＰＲＢ対におけるｅＰＤＣＣＨのＥＣＣＥのマッピングを示す（ここでｉは０もしくは１のいずれかであり、ｌもｌ≠ｉを満たすと同時に０または１のいずれかである）。各ＰＲＢ対は、１６のＥＲＥＧからなる。すべてのＰＲＢ対のＥＲＥＧを合わせてｅＰＤＣＣＨセットのＥＲＥＧであると見做すことができる。１つのＰＲＢ対は、４つまたは２つのＥＣＣＥを構成できる１６のＥＲＥＧを備える。図の例では、１つのＥＣＣＥが４つのＥＲＥＧからなると想定されている。
【０１１６】
局在したアロケーションでは、ｅＰＤＣＣＨの各ＥＣＣＥは、単一のＰＲＢ対に属する複数のＥＲＥＧからなる。すべてのＲＥＧが比較的狭い帯域内にあることに起因して、プリコーディングおよびスケジューリングを通じてより高い利益が得ることができる。
【０１１７】
分散したアロケーションでは、ｅＰＤＣＣＨの各ＥＣＣＥは、異なるＰＲＢ対に属する複数のＥＲＥＧからなる。ＲＥＧに対して行われる周波数ホッピングに起因して、ロバスト性が周波数ダイバーシティを通じて向上する。
【０１１８】
局在または分散した制御情報のアロケーションを考慮して、ｅＰＤＣＣＨセット０は、（存在する場合に）ｅＰＤＣＣＨセット１を条件付けない。ｅＰＤＣＣＨセット０およびｅＰＤＣＣＨセット１は、局在および／または分散した送信マッピングの任意の組み合わせに関して定義される。
【０１１９】
ＵＥ固有サーチスペースは、ｅＰＤＣＣＨに関してｅＰＤＣＣＨ  ＵＳＳ（ｅＵＳＳとも呼ばれる）と定義される。各ｅＰＤＣＣＨ−ＰＲＢセットのサーチスペースは、独立して設定される。
【０１２０】
図１５は、ｅＰＤＣＣＨを構成するＥＣＣＥの数をｅＰＤＣＣＨフォーマットごとに含む。ケースＡは、ＤＣＩフォーマット２／２Ａ／２Ｂ／２Ｃ／２Ｄがモニタされ、かつ在圏セルの利用可能な下りリンク・リソースブロックの数が２５以上であるときに、通常のサブフレームおよび通常の下りリンクＣＰに適用されるか；もしくは、ＤＣＩフォーマット２／２Ａ／２Ｂ／２Ｃ／２Ｄがモニタされ、かつ在圏セルの利用可能な下りリンク・リソースブロックの数が２５以上であるときに、スペシャルサブフレーム設定３、４、８をもつスペシャルサブフレームおよび通常の下りリンクＣＰに適用されるか；または、ＤＣＩフォーマット１Ａ／１Ｂ／１Ｄ／１／２／２Ａ／２Ｂ／２Ｃ／２Ｄ／０／４がモニタされるとき、かつｎＥＰＤＣＣＨ＜１０４のときに、通常のサブフレームおよび通常の下りリンクＣＰに適用されるか；あるいは、ＤＣＩフォーマット１Ａ／１Ｂ／１Ｄ／１／２Ａ／２／２Ｂ／２Ｃ／２Ｄ／０／４がモニタされるとき、かつｎＥＰＤＣＣＨ＜１０４のときに、スペシャルサブフレーム設定３、４、８をもつスペシャルサブフレームおよび通常の下りリンクＣＰに適用される。そうでない場合には、ケースＢが用いられる。
【０１２１】
特定の移動局デバイスに関する先に参照された量ｎＥＰＤＣＣＨ（ＥＣＣＥにおいて利用可能なＲＥＧの数）は、ＥＰＤＣＣＨセットの可能なＥＰＤＣＣＨ送信用に設定されたＰＲＢ対における下りリンクＲＥの数として定義され、これらのＲＥは、ＰＲＢ対における１６のＥＲＥＧのいずれか１つの一部であり、ＣＲＳのため、またはＣＳＩ−ＲＳのためには用いられないことがＵＥによって想定され、かつ開始ＯＦＤＭシンボル以上（１≧ｌＥＰＤＣＣＨｓｔａｒｔ）のＯＦＤＭシンボルｌ中に置かれるという条件を満たす。
【０１２２】
ＤＣＩのフォーマットは、ｅＰＤＣＣＨが送信される目的に依存する。フォーマット０は、通常、上りリンク・スケジューリングおよび上りリンク電力制御のために送信される。フォーマット１は、通常、下りリンクＳＩＭＯ（Ｓｉｎｇｌｅ  Ｉｎｐｕｔ  Ｍｕｌｔｉｐｌｅ  Ｏｕｔｐｕｔ：単一入力多出力）スケジューリングおよび上りリンク電力制御のために送信される。フォーマット２は、通常、下りリンクＭＩＭＯスケジューリングおよび上りリンク電力制御のために送信される。フォーマット３は、通常、上りリンク電力制御のために送信される。フォーマット４は、通常、４つのレイヤまでの上りリンク・スケジューリングのために送信される。
【０１２３】
図１６は、本発明によるセルアグリゲーション（キャリアアグリゲーション）処理の例を示す図である。図中、横軸は周波数領域を表し、縦軸は時間領域を表す。示されたセルアグリゲーション処理では、３つの在圏セル（在圏セル１、在圏セル２、および在圏セル３）がアグリゲートされる。アグリゲートされた複数の在圏セルのうちの１つは、プライマリセル（ＰＣｅｌｌ：Ｐｒｉｍａｒｙ  Ｃｅｌｌ）である。プライマリセルは、ＬＴＥにおけるセルと同等の機能を有する在圏セルである。
【０１２４】
プライマリセル以外の在圏セルは、セカンダリセル（ＳＣｅｌｌ：Ｓｅｃｏｎｄａｒｙ  Ｃｅｌｌ）である。セカンダリセルは、プライマリセルよりさらに限定された機能を有し、ＰＤＳＣＨおよび／またはＰＵＳＣＨを送受信するために主に用いられる。例えば、移動局デバイス２は、プライマリセルのみを用いてランダムアクセスを行う。さらに、移動局デバイス２は、セカンダリセルのＰＢＣＨまたはＰＤＳＣＨ上で送信されたページングおよびシステム情報を必ずしも受信しなくてもよい。
【０１２５】
下りリンクにおける在圏セルに対応するキャリアが下りリンク・コンポーネントキャリア（ＤＬ  ＣＣ：Ｄｏｗｎｌｉｎｋ  Ｃｏｍｐｏｎｅｎｔ  Ｃａｒｒｉｅｒ）であり、上りリンクにおける在圏セルに対応するキャリアが上りリンク・コンポーネントキャリア（ＵＬ  ＣＣ：Ｕｐｌｉｎｋ  Ｃｏｍｐｏｎｅｎｔ  Ｃａｒｒｉｅｒ）である。下りリンクにおけるプライマリセルに対応するキャリアが下りリンク・プライマリコンポーネントキャリア（ＤＬ  ＰＣＣ：Ｄｏｗｎｌｉｎｋ  Ｐｒｉｍａｒｙ  Ｃｏｍｐｏｎｅｎｔ  Ｃａｒｒｉｅｒ）であり、上りリンクにおけるプライマリセルに対応するキャリアが上りリンク・プライマリコンポーネントキャリア（ＵＬ  ＰＣＣ：Ｕｐｌｉｎｋ  Ｐｒｉｍａｒｙ  Ｃｏｍｐｏｎｅｎｔ  Ｃａｒｒｉｅｒ）である。下りリンクにおけるセカンダリセルに対応するキャリアが下りリンク・セカンダリコンポーネントキャリア（ＤＬ  ＳＣＣ：Ｄｏｗｎｌｉｎｋ  Ｓｅｃｏｎｄａｒｙ  Ｃｏｍｐｏｎｅｎｔ  Ｃａｒｒｉｅｒ）であり、上りリンクにおけるセカンダリセルに対応するキャリアが上りリンク・セカンダリコンポーネントキャリア（ＵＬ  ＳＣＣ：Ｕｐｌｉｎｋ  Ｓｅｃｏｎｄａｒｙ  Ｃｏｍｐｏｎｅｎｔ  Ｃａｒｒｉｅｒ）である。
【０１２６】
基地局デバイス１は、必然的にＤＬ  ＰＣＣおよびＵＬ  ＰＣＣの両方をプライマリセルとしてセットする。さらに、基地局デバイス１は、ＤＬ  ＳＣＣのみか、またはＤＬ  ＳＣＣおよびＵＬ  ＳＣＣの両方をセカンダリセルとしてセットすることが可能である。さらにまた、在圏セルの周波数またはキャリア周波数は、在圏周波数または在圏キャリア周波数と称され、プライマリセルの周波数またはキャリア周波数は、プライマリ周波数またはプライマリキャリア周波数と称され、セカンダリセルの周波数またはキャリア周波数は、セカンダリ周波数またはセカンダリキャリア周波数と称される。
【０１２７】
移動局デバイス２および基地局デバイス１は、最初に１つの在圏セルを用いて通信を開始する。この通信を通じて、基地局デバイス１は、ＲＲＣ信号（無線リソース制御信号：Ｒａｄｉｏ  Ｒｅｓｏｕｒｃｅ  Ｃｏｎｔｒｏｌ  ｓｉｇｎａｌ）を用いることにより移動局デバイス２のための１つのプライマリセルおよび１つまたは複数のセカンダリセルのセットを設定する。基地局デバイス１は、セカンダリセルに対してセル・インデックスをセットすることが可能である。プライマリセルのセル・インデックスは、常にゼロである。同じセルのセル・インデックスが異なる移動局デバイス１間で異なってもよい。基地局デバイス１は、ハンドオーバを用いてプライマリセルを変更するように移動局デバイス２に命令することが可能である。
【０１２８】
在圏セル１は、プライマリセルであり、在圏セル２および在圏セル３は、セカンダリセルである。在圏セル１（プライマリセル）にはＤＬ  ＰＣＣおよびＵＬ  ＰＣＣの両方がセットされ、在圏セル２（セカンダリセル）にはＤＬ  ＳＣＣ−１およびＵＬ  ＳＣＣ−１の両方がセットされ、在圏セル３（セカンダリセル）にはＤＬ  ＳＣＣ−２のみがセットされる。
【０１２９】
ＤＬ  ＣＣおよびＵＬ  ＣＣにおいて用いられるチャネルは、ＬＴＥと同じチャネル構造を有する。それぞれのＤＬ  ＣＣは、斜線でハッチングした領域で表されるＰＨＩＣＨ、ＰＣＦＩＣＨ、およびＰＤＣＣＨがマッピングされた領域と、点でハッチングした領域で表されるＰＤＳＣＨがマッピングされた領域とを有する。ＰＨＩＣＨ、ＰＣＦＩＣＨ、およびＰＤＣＣＨは、周波数多重および／または時間多重される。ＰＨＩＣＨ、ＰＣＦＩＣＨ、およびＰＤＣＣＨが周波数多重および／または時間多重される領域と、ＰＤＳＣＨがマッピングされる領域とは時間多重される。それぞれのＵＬ  ＣＣでは、灰色領域で表されるＰＵＣＣＨがマッピングされた領域と、水平線でハッチングした領域で表されるＰＵＳＣＨがマッピングされた領域とが周波数多重される。
【０１３０】
セルアグリゲーションにおいては、それぞれの在圏セル（ＤＬ  ＣＣ）で１つまでのＰＤＳＣＨを送信でき、それぞれの在圏セル（ＵＬ  ＣＣ）で１つまでのＰＵＳＣＨを送信できる。図の例では、３つのＤＬ  ＣＣを用いて３つまでのＰＤＳＣＨを同時に送信でき、２つのＵＬ  ＣＣを用いて２つまでのＰＵＳＣＨを同時に送信できる。
【０１３１】
そのうえ、セルアグリゲーションにおいては、プライマリセルにおけるＰＤＳＣＨのための無線リソースのアロケーションを示す情報を含んだ下りリンクアサインメント、およびプライマリセルにおけるＰＵＳＣＨのための無線リソースのアロケーションを示す情報を含んだ上りリンクグラントがプライマリセルのＰＤＣＣＨ上で送信される。セカンダリセルにおけるＰＤＳＣＨのための無線リソースのアロケーションを示す情報を含んだ下りリンクアサインメント、およびセカンダリセルにおけるＰＵＳＣＨのための無線リソースのアロケーションを示す情報を含んだ上りリンクグラントがそのＰＤＣＣＨで送信される在圏セルは、基地局デバイス１によってセットされる。このセッティングは、移動局デバイス間で変化してもよい。
【０１３２】
あるセカンダリセルにおけるＰＤＳＣＨのための無線リソースのアロケーションを示す情報を含んだ下りリンクアサインメントおよびＰＵＳＣＨのための無線リソースのアロケーションを示す情報を含んだ上りリンクグラントが、異なる在圏セルを用いて送信されることになるようにセッティング（以下では、セルフスケジューリングと対比して、クロスキャリアスケジューリング）が行われた場合、移動局デバイス２は、このセカンダリセルではＰＤＣＣＨを復号しない。例えば、在圏セル２におけるＰＤＳＣＨのための無線リソースのアロケーションを示す情報を含んだ下りリンクアサインメントおよびＰＵＳＣＨのための無線リソースのアロケーションを示す情報を含んだ上りリンクグラントが、在圏セル１を用いて送信されることになり（クロスキャリアスケジューリング）、在圏セル３におけるＰＤＳＣＨのための無線リソースのアロケーションを示す情報を含んだ下りリンクアサインメントおよびＰＵＳＣＨのための無線リソースのアロケーションを示す情報を含んだ上りリンクグラントが、在圏セル３を用いて送信されることになる（セルフスケジューリング）ようにセッティングが行われた場合、移動局デバイス２は、在圏セル１および在圏セル３ではＰＤＣＣＨを復号し、在圏セル２ではＰＤＣＣＨを復号しない。
【０１３３】
基地局デバイス１は、在圏セルごとに、下りリンクアサインメントおよび上りリンクグラントがキャリア・インジケータを含むか否かをセットし、キャリア・インジケータは、そのＰＤＳＣＨまたはＰＵＳＣＨ無線リソースがこれらの下りリンクアサインメントおよび上りリンクグラントによって割り当てられた在圏セルを示す。ＰＨＩＣＨは、ＰＨＩＣＨがＡＣＫ／ＮＡＣＫを示す対象となる、ＰＵＳＣＨのための無線リソースのアロケーションを示す情報を含んだ上りリンクグラントが送信された在圏セルで送信される。
【０１３４】
基地局デバイス１は、移動局デバイス２のためにセットされたセカンダリセルをＭＡＣ（媒体アクセス制御）ＣＥ（制御要素）を用いて非アクティブ化およびアクティブ化することが可能である。移動局デバイス２は、非アクティブ化されたセルでは物理下りリンクチャネルおよび信号を何も受信せず、物理上りリンクチャネルおよび信号も何も送信せず、非アクティブ化されたセルに関する情報をモニタしない。移動局デバイス２は、基地局デバイス１によって新たに追加されたセカンダリセルを非アクティブ化されたセルであると見做す。プライマリセルは非アクティブ化されないことに留意すべきである。
【０１３５】
ＦＤＤ（Ｆｒｅｑｕｅｎｃｙ  Ｄｉｖｉｓｉｏｎ  Ｄｕｐｌｅｘ：周波数分割複信）ワイヤレス通信システムでは、単一の在圏セルに対応するＤＬ  ＣＣおよびＵＬ  ＣＣが異なる周波数で構成される。ＴＤＤ（Ｔｉｍｅ  Ｄｉｖｉｓｉｏｎ  Ｄｕｐｌｅｘ：時分割複信）ワイヤレス通信システムでは、単一の在圏セルに対応するＤＬ  ＣＣおよびＵＬ  ＣＣが同じ周波数で構成され、上りリンクサブフレームおよび下りリンクサブフレームが在圏周波数において時間多重される。
【０１３６】
図１７は、ＴＤＤ−ＦＤＤ  ＣＡ（キャリアアグリゲーション）ワイヤレス通信システムにおける無線フレームの構成の例を示す図である。このケースは、本文書では漠然とＴＤＤ−ＦＤＤ  ＣＡ、または単にＴＤＤ−ＦＤＤと呼ばれる。横軸は周波数領域を表し、縦軸は時間領域を表す。白い矩形は、下りリンクサブフレームを表し、斜線でハッチングした矩形は、下りリンクサブフレームを表し、点でハッチングした矩形は、スペシャルサブフレームを表す。各サブフレームに割り当てられた数（＃ｉ）は、無線フレームにおけるサブフレームの番号である。
【０１３７】
この図では、ＦＤＤ在圏セルとＴＤＤ在圏セルとがアグリゲートされる。ＦＤＤ在圏セルは、すべてのサブフレームが下りリンク送信に用いられる下りリンク用に設定されたバンドと、すべてのサブフレームが上りリンク送信に用いられる上りリンク用に設定された別のバンドとを有する。ＴＤＤ在圏セルは、下りリンクサブフレーム、上りリンクサブフレーム、およびスペシャルサブフレームが時間的に多重された１つのバンドのみを有する。図の例では、ＴＤＤ在圏セルがＵＬ／ＤＬ設定２を用いる。
【０１３８】
ＦＤＤ在圏セルがＰＣｅｌｌであり、ＴＤＤ在圏セルがＳＣｅｌｌである場合、ＰＣｅｌｌは、それ自体のＨＡＲＱタイミングに従い、一方でＳＣｅｌｌは、ＰＣｅｌｌのタイミングに従う。上記の下りリンク・セット・アソシエーションに従う代わりに、ＴＤＤ  ＳＣｅｌｌに接続された移動局デバイスは、ＦＤＤ  ＨＡＲＱタイミングに従ってメッセージのＨＡＲＱ指標をＦＤＤ  ＰＵＣＣＨを通じてＰＣｅｌｌへ送信する。このチャネルは、常に利用可能なので、移動局デバイスは、ＨＡＲＱ指標をサブフレームｎ＋４で送信し、ここでｎは関連するＰＤＳＣＨの受信が生じたサブフレームを表し、再送信は、ｎ＋８で発生するであろう。
【０１３９】
ＴＤＤ在圏セルがＦＤＤ在圏セルとアグリゲートされたケースにおいて発生しうる同時ＨＡＲＱプロセスの最大数は、プライマリセルおよびセカンダリセルの構成に依存する。
【０１４０】
特に、ＴＤＤ在圏セルがプライマリセルであるケースは、ＦＤＤセカンダリセルがそのＨＡＲＱタイミングをＴＤＤプライマリセルのＨＡＲＱタイミングに適合させるため、いくつかの課題を提起し、それゆえにＦＤＤ在圏セルに対して現在可能であるのに比べて、より多くのＨＡＲＱプロセスをアドレス指定する必要がある。
【０１４１】
図１８は、ＰＣｅｌｌがＦＤＤであるときにＴＤＤ  ＳＣｅｌｌ基地局デバイスがＵＬ／ＤＬ設定ごとに同時に取り扱いうると予想されるＨＡＲＱプロセスの数を有する表を示す。この表は、ＴＤＤセルに関する新しい表と呼ばれる。
【０１４２】
ＴＤＤ在圏セルがＰＣｅｌｌであり、ＦＤＤ在圏セルがＳＣｅｌｌである場合には、ＰＣｅｌｌは、レガシー下りリンク・アソシエーションセットに基づくＨＡＲＱタイミングに従い、一方でＳＣｅｌｌは、ＰＣｅｌｌのタイミングに従う。ＨＡＲＱ指標をサブフレームｎ＋４で送信する代わりに、ＨＡＲＱ指標は、ＴＤＤ  ＰＣｅｌｌに関して定義された上りリンクサブフレームのうちの１つでＰＣｅｌｌ  ＰＵＣＣＨを通じて送信され、ここでｎは、ＰＤＳＣＨの受信が生じたサブフレームである。このケースでは、ＦＤＤ  ＳＣｅｌｌのＨＡＲＱ指標がＴＤＤ  ＰＣｅｌｌのための下りリンクとして定義されたサブフレームで送信されると予想されるときに競合が存在する。
【０１４３】
本発明の１つの実施形態では、この問題点によって影響されるＦＤＤ  ＳＣｅｌｌ下りリンクサブフレームは、下りリンク送信のためにスケジュールされない。その結果として、同時に取り扱う必要があるＨＡＲＱプロセスの数は、８以下である。例えば、ＵＬ／ＤＬ設定１を用いて構成されたＴＤＤ  ＰＣｅｌｌに対して、ＦＤＤ  ＳＣｅｌｌは、サブフレーム＃３、＃４、＃８、および＃９でのＰＤＳＣＨ送信のためにのみスケジュールできるであろう。
【０１４４】
本発明の別の実施形態では、ＦＤＤ  ＳＣｅｌｌは、ＴＤＤ  ＰＣｅｌｌに関して定義された同じＨＡＲＱタイミングを用いて構成され、関連する下りリンク・アソシエーションセットに従ってＨＡＲＱ指標を送信する。ＴＤＤ  ＰＣｅｌｌ上りリンクサブフレームと一致するＦＤＤ  ＳＣｅｌｌ下りリンクサブフレームは、関連付けられた下りリンク・セットを有さず、それゆえにＰＤＳＣＨのためにスケジュールされない。例えば、ＵＬ／ＤＬ設定１を用いて構成されたＴＤＤ  ＰＣｅｌｌに対して、ＦＤＤ  ＳＣｅｌｌをＴＤＤ  ＰＣｅｌｌ下りリンクサブフレームに対応するサブフレーム、すなわち、サブフレーム＃０、＃１、＃４、＃５、＃６、および＃９でのＰＤＳＣＨ送信のためにスケジュールできるであろう。
【０１４５】
ＰＤＣＣＨ／ＥＰＤＣＣＨにおけるＨＡＲＱプロセス番号のためのビットフィールド・サイズ、延いてはＤＣＩフォーマット・サイズは、ＤＬ  ＨＡＲＱプロセスの最大数によって異なる。第１のビットフィールドに対応するＤＬ  ＨＡＲＱプロセスの最大数は、レガシー表に示されるようにプライマリセルのＵＬ／ＤＬ設定に基づく予め定められた値であり、第２のビットフィールドに対応するＨＡＲＱプロセスの最大数は、ＴＤＤセルに関する新しい表に示されるようにプライマリセルのＵＬ／ＤＬ設定に基づく。
【０１４６】
本発明の別の実施形態では、ＦＤＤ  ＳＣｅｌｌは、ＴＤＤ  ＰＣｅｌｌにおいて上りリンク用に設定されたサブフレームでのより多くのＨＡＲＱ指標メッセージの送信を可能にする、別個のＵＬ／ＤＬ設定（ＤＬ参照設定）を用いて構成される。例えば、ＵＬ／ＤＬ設定１を用いて構成されたＴＤＤ  ＰＣｅｌｌに対して、ＦＤＤ  ＳＣｅｌｌをＵＬ／ＤＬ設定２を用いて別個に構成して、ＵＬ／ＤＬ設定２の下で下りリンクサブフレームに対応するサブフレーム、すなわち、サブフレーム＃０、＃１、＃３、＃４、＃５、＃６、＃８、および＃９をＰＤＳＣＨ送信のためにスケジュールすることが可能であろう。
【０１４７】
ＰＤＣＣＨ／ＥＰＤＣＣＨにおけるＨＡＲＱプロセス番号のためのビットフィールド・サイズ、延いてはＤＣＩフォーマット・サイズは、ＤＬ  ＨＡＲＱプロセスの最大数によって異なる。第１のビットフィールドに対応するＤＬ  ＨＡＲＱプロセスの最大数は、レガシー表に示されるようにプライマリセルのＵＬ／ＤＬ設定に基づく予め定められた値であり、第２のビットフィールドに対応するＨＡＲＱプロセスの最大数は、ＴＤＤセルに関する新しい表に示されるようにセカンダリセルのためのＤＬ参照設定に基づく。
【０１４８】
図１９は、ある１つの無線フレームにおけるすべてのサブフレームのＨＡＲＱ指標メッセージ送信を可能にする例示的な下りリンク・アソシエーションセットを示す。図に示される下りリンク関連付けセットを用いると、すべてのサブフレームをＰＤＳＣＨ送信のためにスケジュールできる。この図は、本文書では下りリンク・アソシエーションセットと呼ばれる。
【０１４９】
ＦＤＤ  ＳＣｅｌｌの下りリンク・アソシエーションセットがＦＤＤ  ＳＣｅｌｌのすべての下りリンクサブフレームのＨＡＲＱ指標メッセージ送信を可能にするようにセットされた、ＴＤＤ  ＰＣｅｌｌを用いたシステムでは、基地局が取り扱う必要があるＨＡＲＱプロセスの数がＦＤＤ在圏セルによってアドレス指定できる８つのＨＡＲＱプロセスの限界を超える。ＴＤＤセルがプライマリセルであるケースでは、ＰＤＣＣＨ／ｅＰＤＣＣＨによってＦＤＤセカンダリセルのためにスケジュールされたＰＤＳＣＨ送信に対するＨＡＲＱ／ＡＣＫは、新しい下りリンク・アソシエーションセットに基づくＤＣＩフォーマット・サイズを用いて送信される。
【０１５０】
図２０は、基地局デバイスが新しい下りリンク・アソシエーションセットを用いてＵＬ／ＤＬ設定ごとに同時に取り扱いうると予想されるＨＡＲＱプロセスの数を有する表を示す。基地局デバイスは、ＴＤＤ  ＰＣｅｌｌがＵＬ／ＤＬ設定＃５を用いて構成されるとき、多くても１７のＨＡＲＱプロセスを取り扱いうる必要があり、基地局デバイスは、ＴＤＤ  ＰＣｅｌｌがＵＬ／ＤＬ設定＃０を用いて構成されるときには、少なくとも１０のＨＡＲＱプロセスを取り扱いうる必要がある。この表は、ＦＤＤセルに関する新しい表と呼ばれる。
【０１５１】
移動局デバイスが１つより多い在圏セルを用いて構成され、かつ少なくとも２つの在圏セルが異なるＵＬ／ＤＬ設定を有する場合、ＭＤＬ＿ＨＡＲＱは、在圏セルのＤＬ参照ＵＬ／ＤＬ設定に関するレガシー表に定義されるようなＤＬ  ＨＡＲＱプロセスの最大数であり；移動局デバイスが１つより多い在圏セルを用いて構成され、かつ少なくともプライマリセルがＦＤＤであり、一方でセカンダリセルのいずれかがＴＤＤである場合、ＭＤＬ＿ＨＡＲＱは、セカンダリセルのＤＬ参照ＵＬ／ＤＬ設定に関する新しい表に定義されるようなＤＬ  ＨＡＲＱプロセスの最大数であり；移動局デバイスが１つより多い在圏セルを用いて構成され、かつ少なくともプライマリセルがＴＤＤであり、一方でセカンダリセルのいずれかがＦＤＤである場合、ＭＤＬ＿ＨＡＲＱは、プライマリセルのＤＬ参照ＵＬ／ＤＬ設定に関する新しい表に定義されるようなＤＬ  ＨＡＲＱプロセスの最大数である。そうでない場合には、ＭＤＬ＿ＨＡＲＱは、ＤＬ  ＨＡＲＱプロセスの最大数である。
【０１５２】
本発明の１つの実施形態は、基地局デバイスがＦＤＤ  ＳＣｅｌｌに関して３ビットにわたるＨＡＲＱプロセス番号のためのビットフィールドをもつＤＣＩフォーマット・サイズを用いるシステムを備える。いつでも取り扱いうる同時プロセスの数は８であり、下りリンクサブフレームのうちのどれがＰＤＳＣＨのためにスケジュールされ、どれが空のままであるかを支配するために起こりうる送信にいくらかの制限が加えられる。どのサブフレームが制限されているか否かを移動局デバイスが認識することもできる。移動局デバイスは、どのサブフレームが制限されるかを認識していない場合、下りリンク送信に用いうるであろうすべてのサブフレームでＰＤＣＣＨおよびＥＰＤＣＣＨをモニタすると予想される。
【０１５３】
本発明の１つの実施形態では、制限は、毎回どのサブフレームが選ばれるかを決定するために、移動局デバイスの識別子および／または無線フレーム番号に基づく疑似ランダムパターンに従う。
【０１５４】
本発明の別の実施形態では、制限された（それゆえにスケジュールされない）サブフレームの固定セットがＵＬ／ＤＬ設定ごとに定義される。例として、ＴＤＤ  ＰＣｅｌｌがＵＬ／ＤＬ設定２を用いて構成されるとき、サブフレーム＃０、＃１、＃５、および＃６は、ＰＤＳＣＨスケジューリング用に設定されない。
【０１５５】
本発明の別の実施形態では、サブフレームがＰＤＳＣＨのためにスケジュールされるべきではない順序をもつリストがＵＬ／ＤＬ設定ごとに設定される。一例では、このリストが作られる判定基準は、近くのセルでは下りリンクサブフレームである確率がより高いサブフレームを回避することである。この判定基準は、ある１つの在圏セルに接続され、異なる在圏セルに近接した移動局デバイスが後者の在圏セルの下りリンク送信を高い干渉として受信する問題を回避する。この判定基準によれば、用いるべきサブフレームの優先順位の例は、サブフレーム＃５、＃０、＃６、＃１、＃９、＃４、＃８、＃７、＃３、および＃２であり、これが意味するのは、サブフレーム＃２が制限されるべき第１のサブフレームであり、サブフレーム＃３、サブフレーム＃７などがそれに続くであろうということである。別の例は、＃５、＃０、｛＃６、＃１、＃９｝、＃４、＃８、＃７、＃３、および＃２とすることができるであろう、ここで｛＃６、＃１、＃９｝はその群のうちのいずれかを意味する。基地局デバイスは、必要に応じてこれらのサブフレーム間で交互に繰り返してもよく、または他の要因によってそれらの順序を決定してもよい。
【０１５６】
本発明の別の実施形態では、基地局デバイスは、近くの基地局デバイスのＵＬ／ＤＬ設定について知るためにそれらと通信して、衝突をもたらす可能性が最も高いサブフレームを制限する。
【０１５７】
ＰＤＳＣＨのスケジューリングは、基地局デバイスによりＤＣＩフォーマット１／１Ａ／１Ｂ／１Ｄ／２／２Ａ／２Ｂ／２Ｃ／２Ｄを通じて行うことができる。これらのＤＣＩフォーマットは、ＦＤＤでは３ビットおよびＴＤＤでは４ビットにわたるＨＡＲＱプロセス番号のためのフィールドを有する。これは、基地局デバイスによって同時に取り扱いうるＨＡＲＱプロセスの数をＦＤＤのケースでは８、およびＴＤＤのケースでは１６に限定する。ＦＤＤのケースとＴＤＤのケースとの間の差異は、ＨＡＲＱプロセス番号フィールドのサイズには限定されず；他のフィールドも変化してもよく、あるいはこれらのケースのうちの１つに対してのみ他のフィールドが存在してもよい。
【０１５８】
本発明の１つの実施形態は、上述のＤＣＩフォーマットを用いて、ＨＡＲＱプロセス番号フィールドによってシグナリングできるＨＡＲＱプロセスを超過したＨＡＲＱプロセスの送信を制限する。ＴＤＤ  ＰＣｅｌｌの下でのＦＤＤ  ＳＣｅｌｌは、上記の制限方法のいずれかを適用して８つの同時ＨＡＲＱプロセスに限定される。
【０１５９】
本発明の別の実施形態は、制御情報をＴＤＤ  ＰＣｅｌｌとアグリゲートされたＦＤＤ  ＳＣｅｌｌへ送信するために４ビットのＨＡＲＱプロセス番号フィールドを用いる基地局デバイスを有する。ＴＤＤ  ＰＣｅｌｌとアグリゲートされたＦＤＤ在圏セルに接続された端末局デバイスは、ＰＤＣＣＨをＴＤＤに対応するＨＡＲＱプロセス番号フィールド・サイズをもつＤＣＩに関してモニタすると想定される。基地局デバイスは、ＴＤＤ  ＰＣｅｌｌがＵＬ／ＤＬ設定＃０、＃１、＃２、＃３、＃４、および＃６の下にあるとき、ＦＤＤ  ＳＣｅｌｌに対して同時に発生しうるすべての可能なＨＡＲＱプロセスをアドレス指定できる。基地局デバイスは、ＴＤＤ  ＰＣｅｌｌがＵＬ／ＤＬ設定＃５の下にあるときには、ＦＤＤ  ＳＣｅｌｌのためのサブフレームのうちの１つでのＰＤＳＣＨのスケジューリングをスキップするために上記の制限ルールのいずれかを適用する。
【０１６０】
本発明の別の実施形態では、存在するＨＡＲＱプロセスの数がＰＵＣＣＨの能力を超えるときでもＰＵＣＣＨを再編成する必要なしにすべてのＨＡＲＱ−ＡＣＫを送信できるように、ＨＡＲＱ−ＡＣＫ送信がバンドルされる。
【０１６１】
ＦＤＤ在圏セル上のＤＣＩフォーマット１／１Ａ／１Ｂ／１Ｄ／２／２Ａ／２Ｂ／２Ｃ／２Ｄに関して、移動局デバイスが１つの在圏セルを用いて構成されるか、または移動局デバイスが１つより多い在圏セルを用いて構成され、かつプライマリセルがＦＤＤセルである場合、ＨＡＲＱプロセス番号は、３ビットにわたり；移動局デバイスが１つより多い在圏セルを用いて構成され、かつプライマリセルがＴＤＤセルである場合には、ＨＡＲＱプロセス番号は、４ビットにわたる。加えて、ＴＤＤではすべての上りリンク−下りリンク設定に関して２ビット・フィールドのＤｏｗｎｌｉｎｋ  Ａｓｓｉｇｎｍｅｎｔ  Ｉｎｄｅｘが存在する。ＵＥが１つの在圏セルを用いて構成されるか、またはＵＥが１つより多い在圏セルを用いて構成され、かつすべての在圏セルのＵＬ／ＤＬ設定が同じである場合には、このフィールドは、ＵＬ／ＤＬ設定１〜６をもつ在圏セルにのみ適用され；ＵＥが１つより多い在圏セルを用いて構成され、かつ少なくとも２つの在圏セルが異なるＵＬ／ＤＬ設定を有する場合には、このフィールドは、ＤＬ参照ＵＬ／ＤＬ設定１〜６をもつ在圏セルに適用される。このフィールドは、移動局デバイスが１つの在圏セルを用いて構成されるか、または移動局デバイスが１つより多い在圏セルを用いて構成され、かつプライマリセルがＦＤＤである場合、ＦＤＤには存在しない。
【０１６２】
本発明のさらなる実施形態では、基地局デバイスは、ＦＤＤ  ＳＣｅｌｌのためのＰＤＳＣＨをスケジュールするために新しいＤＣＩフォーマットを用いる。ＤＣＩフォーマット１／１Ａ／１Ｂ／１Ｄ／２／２Ａ／２Ｂ／２Ｃ／２ＤのうちのいずれかがＦＤＤ在圏セル上でモニタされるとき、ＨＡＲＱプロセス番号は、３ビットにわたる。ＤＣＩがＦＤＤセル上でモニタされるとき、ＨＡＲＱプロセス番号は、４ビットにわたる。基地局デバイスは、ＴＤＤ  ＰＣｅｌｌがＵＬ／ＤＬ設定＃５の下にあるときには、ＦＤＤ  ＳＣｅｌｌのためのサブフレームのうちの１つでのＰＤＳＣＨのスケジューリングをスキップするために上記の制限ルールのいずれかを適用する。
【０１６３】
本発明のさらなる実施形態では、移動局デバイスは、ＤＣＩフォーマット１／１Ａ／１Ｂ／１Ｄ／２／２Ａ／２Ｂ／２Ｃ／２Ｄのうちのいずれかをモニタし、ＤＣＩフォーマットがＦＤＤセル上でモニタされ、プライマリセルがＵＬ−ＤＬ設定１〜４または６をもつＴＤＤである場合、ＨＡＲＱプロセス番号は、４ビットにわたり；ＤＣＩフォーマットがＦＤＤセル上でモニタされ、プライマリセルがＵＬ−ＤＬ設定５をもつＴＤＤである場合には、ＨＡＲＱプロセス番号は、５ビットにわたる。
【０１６４】
本発明のさらなる実施形態では、移動局デバイスがＦＤＤセル上でＤＣＩフォーマット１／１Ａ／１Ｂ／１Ｄ／２／２Ａ／２Ｂ／２Ｃ／２Ｄをモニタするとき、ＨＡＲＱプロセス番号は、３ビットにわたり；新しいＤＣＩフォーマットがＦＤＤセル上でモニタされるときには、移動局デバイスが１つより多い在圏セルを用いて構成され、かつすべての在圏セルがＴＤＤである場合、ＨＡＲＱプロセス番号は、４ビットにわたり、移動局デバイスが１つより多い在圏セルを用いて構成され、かつプライマリセルがＴＤＤであり、少なくとも１つの他の在圏セルがＦＤＤである場合には、ＨＡＲＱプロセス番号は、５ビットにわたる。
【０１６５】
本発明のさらなる実施形態では、新しいＤＣＩフォーマットは、例えば、ＴＤＤ−ＦＤＤ  ＣＡ動作のための最適化を含んだ、新しい送信モードと関連付けられる。
【０１６６】
本発明の別の実施形態では、ＨＡＲＱプロセスの番号付けは、偶数および奇数サブフレームに対して独立に処理される。このように、基地局デバイスは、ＤＣＩフォーマット１／１Ａ／１Ｂ／１Ｄ／２／２Ａ／２Ｂ／２Ｃ／２Ｄにおける３ビットのＦＤＤ  ＨＡＲＱプロセス番号フィールドの使用を通じて１６のＨＡＲＱプロセスをアドレス指定することが可能である。元々偶数サブフレームに存在した再送信を必要とするＨＡＲＱプロセスは、別の偶数サブフレームで再送信されるであろう。元々奇数サブフレームに存在した再送信を必要とするＨＡＲＱプロセスは、奇数サブフレームで再送信されるであろう。基地局デバイスは、ＴＤＤ  ＰＣｅｌｌがＵＬ／ＤＬ設定＃５の下にあるときには、ＦＤＤ  ＳＣｅｌｌのためのサブフレームのうちの１つでのＰＤＳＣＨのスケジューリングをスキップするために上記の制限ルールのいずれかを適用する。
【０１６７】
ＰＤＣＣＨ／ＥＰＤＣＣＨにおけるＨＡＲＱプロセス番号のためのビットフィールド・サイズ、延いてはＤＣＩフォーマット・サイズは、ＤＬ  ＨＡＲＱプロセスの最大数によって異なる。第１のビットフィールドに対応するＤＬ  ＨＡＲＱプロセスの最大数は、レガシー下りリンク・アソシエーションセットに基づく予め定められた値であり、第２のビットフィールドに対応するＨＡＲＱプロセスの最大数は、ＦＤＤセルに関する新しい表に示されるように新しい下りリンク・アソシエーションセットに基づく。
【０１６８】
図２１は、移動局デバイスのＰＤＣＣＨ／ＥＰＤＣＣＨモニタリングに関するＤＣＩ想定についての決定のためのフロー図を示す。
【０１６９】
この図は、２つの状態のみを示すが、いくつかのケースでは、状態のセットに依存して３つ、４つ、またはそれ以上の異なる結果がある。この図は、それらのケースにも用いられ、多数の可能な状態を収容するためのその拡張は、些細な課題であると理解される。代わりに、それらのケースを状態１が単一の状態に対応し、状態２がすべての残りの状態を一緒にしたバンドルに対応する、一連の２値状態と考えることができる。状態２が選ばれた場合、バンドルされた状態のうちの１つを新しい状態１として、残りの状態を新しいバンドルされた状態２として用いてプロセスが繰り返される。単一の状態が選ばれるまで、このプロセスが反復される。
【０１７０】
移動局デバイスは、状態を所定のレートでチェックし、このレートは、例えば、サブフレームごと、無線フレームごと、移動局デバイスが新しい在圏セルを接続するごと、予め定められた事象が発生するごとなどとすることができる。フロー図に示されるＤＣＩモニタリングの想定１、２、．．．は、状態がチェックされるごとに異なりうる。
【０１７１】
ＴＤＤ  ＳＣｅｌｌに関して、ＰＣｅｌｌがＴＤＤ在圏セルであり、下りリンク送信メッセージのスケジューリングがセルフスケジューリングを通じて行われる場合、移動局デバイスは、ＨＡＲＱプロセスがレガシー表によって定義されると想定し、ＨＡＲＱプロセス番号に関して４ビットを予想してＤＣＩをモニタする。
【０１７２】
ＦＤＤ  ＳＣｅｌｌに関しては、ＰＣｅｌｌがＴＤＤ在圏セルであり、下りリンク送信メッセージのスケジューリングがセルフスケジューリングを通じて行われる場合、移動局デバイスは、ＨＡＲＱプロセスがレガシー表によって、または新しい表によって定義されると想定し、ＨＡＲＱプロセス番号に関して４ビットを予想してＤＣＩをモニタする。
【０１７３】
代わりに、移動局デバイスは、そのケースでは移動局デバイスがＨＡＲＱプロセス番号に関して５ビットを予想してＤＣＩをモニタする、ＴＤＤ  ＰＣｅｌｌがＵＬ／ＤＬ設定＃５を用いて構成される場合を除いて、ＨＡＲＱプロセス番号に関して４ビットを予想してＤＣＩをモニタする。
【０１７４】
代わりに、移動局デバイスは、ＨＡＲＱプロセス番号に関して５ビットを予想してＤＣＩをモニタする。
【０１７５】
ＴＤＤまたはＦＤＤ在圏セルによってスケジュールされたＦＤＤ在圏セルに関して、ＰＣｅｌｌがＴＤＤ在圏セルであり、下りリンク送信メッセージのスケジューリングがクロスキャリアスケジューリングを通じて行われる場合、移動局デバイスは、ＨＡＲＱプロセスが新しい表によって定義されると想定し、ＨＡＲＱプロセス番号に関して４ビットを予想してＤＣＩをモニタする。
【０１７６】
代わりに、移動局デバイスは、そのケースでは移動局デバイスがＨＡＲＱプロセス番号に関して５ビットを予想してＤＣＩをモニタする、ＴＤＤ  ＰＣｅｌｌがＵＬ／ＤＬ設定＃５を用いて構成される場合を除いて、ＨＡＲＱプロセス番号に関して４ビットを予想してＤＣＩをモニタする。
【０１７７】
代わりに、移動局デバイスは、ＨＡＲＱプロセス番号に関して５ビットを予想してＤＣＩをモニタする。
【０１７８】
ＴＤＤまたはＦＤＤ在圏セルによってスケジュールされたＴＤＤ在圏セルに関して、ＰＣｅｌｌがＴＤＤ在圏セルであり、下りリンク送信メッセージのスケジューリングがクロスキャリアスケジューリングを通じて行われる場合、移動局デバイスは、ＨＡＲＱプロセスがレガシー表によって定義されると想定し、ＨＡＲＱプロセス番号に関して４ビットを予想してＤＣＩをモニタする。
【０１７９】
ＴＤＤ  ＳＣｅｌｌに関しては、ＰＣｅｌｌがＦＤＤ在圏セルであり、下りリンク送信メッセージのスケジューリングがセルフスケジューリングを通じて行われる場合、移動局デバイスは、ＨＡＲＱプロセスがレガシー・タイミングに従って定義されると想定し、ＨＡＲＱプロセス番号に関して３ビットを予想してＤＣＩをモニタする。
【０１８０】
代わりに、移動局は、ＨＡＲＱプロセスがレガシー表に従って定義されると想定し、ＨＡＲＱプロセス番号に関して４ビットを予想してＤＣＩをモニタする。
【０１８１】
代わりに、移動局デバイスは、ＨＡＲＱプロセスがレガシー表によって定義されると想定し、基地局が同時に取り扱うことができなければならないＨＡＲＱプロセスの数は、新しい表によって定義される。
【０１８２】
ＰＣｅｌｌがＦＤＤ在圏セルであり、下りリンク送信メッセージのスケジューリングがセルフスケジューリングを通じて行われる場合、ＦＤＤ  ＳＣｅｌｌに接続された移動局デバイスは、ＨＡＲＱプロセスがレガシー・タイミングに従って定義されると想定し、ＨＡＲＱプロセス番号に関して３ビットを予想してＤＣＩをモニタする。
【０１８３】
ＴＤＤまたはＦＤＤ在圏セルによってスケジュールされたＦＤＤ在圏セルに関して、ＰＣｅｌｌがＦＤＤ在圏セルであり、下りリンク送信メッセージのスケジューリングがクロスキャリアスケジューリングを通じて行われる場合、移動局デバイスは、ＨＡＲＱプロセスがレガシー・タイミングに従って定義されると想定し、ＨＡＲＱプロセス番号に関して３ビットを予想してＤＣＩをモニタする。
【０１８４】
ＴＤＤまたはＦＤＤ在圏セルによってスケジュールされたＴＤＤ在圏セルに関しては、ＰＣｅｌｌがＦＤＤ在圏セルであり、下りリンク送信メッセージのスケジューリングがクロスキャリアスケジューリングを通じて行われる場合、移動局は、ＨＡＲＱプロセスがレガシー表によって定義されると想定し、ＨＡＲＱプロセス番号に関して４ビットを予想してＤＣＩをモニタする。
【０１８５】
代わりに、移動局は、ＨＡＲＱプロセスがレガシー表に従って定義されると想定し、ＨＡＲＱプロセス番号に関して４ビットを予想してＤＣＩをモニタする。
【０１８６】
代わりに、移動局デバイスは、ＨＡＲＱプロセスがレガシー表によって定義されると想定し、基地局が同時に取り扱うことができなければならないＨＡＲＱプロセスの数は、新しい表によって定義される。
【０１８７】
本発明による基地局デバイスおよび移動局デバイスにおいて動作するプログラムは、本発明による上記の実施形態の機能を実現するためにＣＰＵ（Ｃｅｎｔｒａｌ  Ｐｒｏｃｅｓｓｉｎｇ  Ｕｎｉｔ：中央処理装置）などを制御するプログラム（コンピュータを機能させるプログラム）であってもよい。これらのデバイスにおいて取り扱われる情報は、情報処理の間にＲＡＭ（Ｒａｎｄｏｍ  Ａｃｃｅｓｓ  Ｍｅｍｏｒｙ：ランダムアクセスメモリ）に一時的に記憶され、その後、フラッシュＲＯＭ（Ｒｅａｄ  Ｏｎｌｙ  Ｍｅｍｏｒｙ：リードオンリメモリ）のような様々な種類のＲＯＭまたはＨＤＤ（Ｈａｒｄ  Ｄｉｓｋ  Ｄｒｉｖｅ：ハードディスク装置）に記憶され、読み出されて、修正されるか、または必要に応じてＣＰＵによって書き込まれる。
【０１８８】
上記の実施形態による移動局デバイスおよび基地局デバイスの一部がコンピュータによって実装されてもよい。そのケースでは、この制御機能を実装するためのプログラムをコンピュータ可読記録媒体上に記録してもよく、コンピュータシステムが記録媒体上に記録されたプログラムを読み出して実行するようにしてもよい。
【０１８９】
本明細書では、「コンピュータシステム」は、移動局デバイスまたは基地局デバイスのそれぞれに含まれるコンピュータシステムであり、ＯＳおよび周辺デバイスのようなハードウェアを含む。「コンピュータ可読記録媒体」は、フレキシブルディスク、光磁気ディスク、ＲＯＭ、またはＣＤ−ＲＯＭのような携帯用媒体、またはコンピュータシステムに含まれるハードディスクのような記憶装置である。
【０１９０】
そのうえ、「コンピュータ可読記録媒体」は、さらに、プログラムを短時間動的に保持するもの、例えば、インターネットのようなネットワーク経由でプログラムを送信するために用いられる通信回線または電話線のような通信回線、およびプログラムをある期間にわたって保持するもの、例えば、このケースではサーバまたはクライアントとしての機能を果たすコンピュータシステムにおける揮発性メモリを含んでもよい。さらに、上記のプログラムが上記の機能のうちのいくつかを実装してもよく、または上記の機能をコンピュータシステム上に既に記録されたプログラムと組み合わせることによって実装されてもよい。
【０１９１】
そのうえ、上記の実施形態における移動局デバイスおよび基地局デバイスの一部またはすべてが典型的に集積回路であるＬＳＩとして、またはチップセットとして実装されてもよい。移動局デバイスおよび基地局デバイスの個々の機能ブロックが複数のチップ中に個別に形成されてもよく、またはいくつかまたはすべての機能ブロックが１つのチップに集積化されてもよい。集積回路を形成するための方法は、ＬＳＩに限定されず、専用回路または汎用プロセッサによって実装されてもよい。半導体技術の進歩がＬＳＩを置き換える集積化技術を生み出すケースでは、その技術による集積回路が用いられてもよい。
【０１９２】
本発明のいくつかの実施形態が図面を参照して詳細に記載されたが、具体的な構成は、上記の構成には限定されず、本発明の要点から逸脱することなく様々な設計修正などを行うことができる。
【符号の説明】
【０１９３】
１    基地局デバイス
２    移動局デバイス
３    ＰＤＣＣＨ／ｅＰＤＣＣＨ
４    下りリンク・データ送信
５    物理上りリンク制御チャネル
６    下りリンク・データ送信
１０１    上位レイヤ処理部
１０１１    ワイヤレスリソース管理部
１０１３    サブフレーム構成部
１０１５    スケジューリング部
１０１７    ＣＳＩレポート管理部
１０３    制御部
１０５    受信部
１０５１    復号部
１０５３    復調部
１０５５    多重分離部
１０５７    無線受信部
１０５９    チャネル推定部
１０７    送信部
１０７１    符号化部
１０７３    変調部
１０７５    多重部
１０７７    無線送信部
１０７９    上りリンク参照信号発生部
１０９    アンテナ部
３０１    上位レイヤ処理部
３０１１    ワイヤレスリソース管理部
３０１３    サブフレーム構成部
３０１５    スケジューリング部
３０１７    ＣＳＩレポート管理部
３０３    制御部
３０５    受信部
３０５１    復号部
３０５３    復調部
３０５５    多重分離部
３０５７    無線受信部
３０５９    チャネル推定部
３０７    送信部
３０７１    符号化部
３０７３    変調部
３０７５    多重部
３０７７    無線送信部
３０７９    上りリンク参照信号発生部
３０９    アンテナ部
【図１】
0006519755.tif 000002
【図２】
0006519755.tif 000003
【図３】
0006519755.tif 000004
【図４】
0006519755.tif 000005
【図５】
0006519755.tif 000006
【図６】
0006519755.tif 000007
【図７】
0006519755.tif 000008
【図８】
0006519755.tif 000009
【図９】
0006519755.tif 000010
【図１０】
0006519755.tif 000011
【図１１】
0006519755.tif 000012
【図１２】
0006519755.tif 000013
【図１３】
0006519755.tif 000014
【図１４】
0006519755.tif 000015
【図１５】
0006519755.tif 000016
【図１６】
0006519755.tif 000017
【図１７】
0006519755.tif 000018
【図１８】
0006519755.tif 000019
【図１９】
0006519755.tif 000020
【図２０】
0006519755.tif 000021
【図２１】
0006519755.tif 000022